(57)【要約】  解剖学的検出システム誘導前立腺処置デバイスは、近位端と遠位端とを有するハウジングを含む。ハウジングは、遠位のハウジング部、中間ハウジング部、および近位のハウジング部に分かれていてもよく、遠位のハウジング部は、肛門内に挿入され、対象の直腸内に保持されるように構成されている。該デバイスは、器具が可変の角度で器具収束点を通ることができるように構成されている、近位端と遠位端との間に配置された器具収束点と、ハウジングの近位端に、収束点の周囲の可変の角度の方向を示す器具角度方向付けシステムと、をさらに含む。解剖学的検出システム誘導前立腺処置デバイスの使用方法および該デバイスを含むシステムも開示される。【選択図】図１
2019528851.tif 000002
【特許請求の範囲】
【請求項１】
近位端と、遠位端と、遠位のハウジング部とを有し、遠位のハウジング部は、肛門内に挿入され、対象の直腸内に保持されるように構成されているハウジングと、
収束点に近位および遠位の両方の器具の動きの範囲を定める近位の円すいおよび遠位の円すいの交点によって定められ、可変および選択可能な角度で器具が器具収束点を通れるように構成されている、近位端と遠位端との間に配置した器具収束点と、
前記ハウジングの近位端に、前記器具収束点の周囲の三次元の可変の角度の方向を指示する器具角度方向付けシステムと、
を含むことを特徴とする解剖学的検出システム誘導前立腺処置デバイス。
【請求項２】
前記器具収束点が、前記器具を三次元配置へ遠位に向けるように構成されている装置内に含まれる請求項１に記載の解剖学的検出システム誘導前立腺処置デバイス。
【請求項３】
標的組織と前記器具収束点との間の数学的関係が、近位側および挿入深さでの移動の相対的、または絶対的なインクリメントを使用者に示すように利用されて、前記標的組織を妨害する請求項１または２に記載の解剖学的検出システム誘導前立腺処置デバイス。
【請求項４】
前記器具角度方向付けシステムが、前記器具の遠位端の侵入深さを指示する請求項１〜３のいずれか１項に記載の解剖学的検出システム誘導前立腺処置デバイス。
【請求項５】
前記器具角度方向付けシステムが、前記器具の遠位端の三次元の位置を指示する請求項１〜４のいずれか１項に記載の解剖学的検出システム誘導前立腺処置デバイス。
【請求項６】
器具ガイドをさらに含む請求項１〜５のいずれか１項に記載の解剖学的検出システム誘導前立腺処置デバイス。
【請求項７】
前記器具ガイドが実質的に円錐である請求項６に記載の解剖学的検出システム誘導前立腺処置デバイス。
【請求項８】
収束点が、デバイスの近位端およびデバイスの遠位端から走る軸に沿って平行移動可能である請求項１〜７のいずれか１項に記載の解剖学的検出システム誘導前立腺処置デバイス。
【請求項９】
前記ハウジングが中間ハウジング部を含み、前記解剖学的検出システム誘導前立腺処置デバイスが、前記中間ハウジング部内で回転抑制され、前記器具収束点を中心とする球状ターゲティングボールをさらに含む請求項１〜８のいずれか１項に記載の解剖学的検出システム誘導前立腺処置デバイス。
【請求項１０】
前記球状ターゲティングボールが近位側と遠位側とを含み、通過する器具を受けるように構成されている円錐状切り抜きを近接した側に含む請求項９に記載の解剖学的検出システム誘導前立腺処置デバイス。
【請求項１１】
前記器具ガイドが、前記球状ターゲティングボールの遠位側から伸びる請求項９または１０に記載の解剖学的検出システム誘導前立腺処置デバイス。
【請求項１２】
前記器具ガイドが、前記球状ターゲティングボールの近位側から伸びる請求項９〜１１のいずれか１項に記載の解剖学的検出システム誘導前立腺処置デバイス。
【請求項１３】
前記器具ガイドが調節可能であり、前立腺の外壁に対して位置づけることができる請求項６〜１２のいずれか１項に記載の解剖学的検出システム誘導前立腺処置デバイス。
【請求項１４】
解剖学的検出システムが、磁気共鳴解剖学的検出システムを含む請求項１〜１３のいずれか１項に記載の解剖学的検出システム誘導前立腺処置デバイス。
【請求項１５】
解剖学的検出システムが、コンピュータ断層撮影（ＣＴ）解剖学的検出システムを含む請求項１〜１３のいずれか１項に記載の解剖学的検出システム誘導前立腺処置デバイス。
【請求項１６】
解剖学的検出システムが、超音波解剖学的検出システムを含む請求項１〜１３のいずれか１項に記載の解剖学的検出システム誘導前立腺処置デバイス。
【請求項１７】
前記器具角度方向付けシステムが、固定配列器具角度方向付けシステムを含む請求項１〜１６のいずれか１項に記載の解剖学的検出システム誘導前立腺処置デバイス。
【請求項１８】
前記固定配列器具角度方向付けシステムが、曲線状固定配列器具角度方向付けシステムを含む請求項１７に記載の解剖学的検出システム誘導前立腺処置デバイス。
【請求項１９】
前記ハウジングが近位のハウジング部を含み、前記固定配列器具角度方向付けシステムが、近位端近くの前記近位のハウジング部内に配置されたグリッドアレイプレートを含み、前記グリッドアレイプレートが、チャンネル軸が収束点に収束するにように配向した、チャンネル軸をそれぞれ有する複数の器具アクセスチャンネルを有する請求項１７または１８に記載の解剖学的検出システム誘導前立腺処置デバイス。
【請求項２０】
前記器具角度方向付けシステムが、連続的に可変の座標器具角度方向付けシステムを含む請求項１〜１６のいずれか１項に記載の解剖学的検出システム誘導前立腺処置デバイス。
【請求項２１】
前記連続的に可変の座標器具角度方向付けシステムが、デカルト座標システムを含む請求項２０に記載の解剖学的検出システム誘導前立腺処置デバイス。
【請求項２２】
前記ハウジングが近位のハウジング部を含み、前記ハウジングの近位端に位置した割り出しキャリッジをさらに含み、前記割り出しキャリッジは、直線状レールアセンブリに沿って移動するように抑制されており、前記直線状レールアセンブリは、使用者が器具を望ましい角度に向けることができるようにする直線状レールアセンブリに垂直に移動するように抑制され、前記器具ガイドが、収束点から前記割り出しキャリッジまで近位に伸びる請求項２１に記載の解剖学的検出システム誘導前立腺処置デバイス。
【請求項２３】
前記割り出しキャリッジがピボット軸受を含み、ガイドが前記収束点から前記ピボット軸受まで伸びる請求項２２に記載の解剖学的検出システム誘導前立腺処置デバイス。
【請求項２４】
前記連続的に可変の座標器具角度方向付けシステムが、円錐座標器具角度方向付けシステムを含む請求項１９に記載の解剖学的検出システム誘導前立腺処置デバイス。
【請求項２５】
前記ハウジングが近位のハウジング部を含み、前記連続的に可変の円筒状座標器具角度方向付けシステムが、近位のハウジング部内に回転可能に配置された円形のプレートを含み、前記円形のプレートが、その中心から、および切り抜きガイド内に摺動自在に配置された割り出しキャリッジから半径方向に伸びる切り抜きガイドを含み、前記器具ガイドが、収束点から前記割り出しキャリッジまで近位に伸びる請求項２４に記載の解剖学的検出システム誘導前立腺処置デバイス。
【請求項２６】
前記割り出しキャリッジがピボット軸受を含み、ガイドが前記収束点から前記ピボット軸受まで伸びる請求項２５に記載の解剖学的検出システム誘導前立腺処置デバイス。
【請求項２７】
極座標を特定する半径方向の位置および角度位置を表す段階的マーキングをさらに含む請求項２５または２６に記載の解剖学的検出システム誘導前立腺処置デバイス。
【請求項２８】
前記器具が、生検針、プローブ、センサシステム、処置デバイス、治療の器具システム、または化学物質配置デバイスを含む請求項１〜２７のいずれか１項に記載の解剖学的検出システム誘導前立腺処置デバイス。
【請求項２９】
前記化学物質配置デバイスが、取り外し可能なマーカー、染料／造影剤、薬、または取り外し可能ではないマーカーを含む請求項２８に記載の解剖学的検出システム誘導前立腺処置デバイス。
【請求項３０】
少なくとも１つのＭＲＩコイルをさらに含む請求項１〜２９のいずれか１項に記載の解剖学的検出システム誘導前立腺処置デバイス。
【請求項３１】
前記ＭＲＩコイルが、遠位のハウジング部内に配置したＭＲＩコイルを含む請求項３０に記載の解剖学的検出システム誘導前立腺処置デバイス。
【請求項３２】
ＭＲＩコイルが、ハウジングの近位端の内表面に配置したＭＲＩコイルを含む請求項３０に記載の解剖学的検出システム誘導前立腺処置デバイス。
【請求項３３】
前記ＭＲＩコイルが、前記遠位のハウジング部および前記中間ハウジング部を横断するＭＲＩコイルを含む請求項３０に記載の解剖学的検出システム誘導前立腺処置デバイス。
【請求項３４】
前記ＭＲＩコイルがループアンテナを含む請求項３０〜３３のいずれか１項に記載の解剖学的検出システム誘導前立腺処置デバイス。
【請求項３５】
前記ＭＲＩコイルがバタフライアンテナを含む請求項３０〜３４のいずれか１項に記載の解剖学的検出システム誘導前立腺処置デバイス。
【請求項３６】
前記ＭＲＩコイルがループアンテナとバタフライアンテナとを含み、前記ループアンテナおよび前記バタフライアンテナが、位相機で９０°の位相のずれで駆動されて、環状に分極した磁場を生じる請求項３０〜３５のいずれか１項に記載の解剖学的検出システム誘導前立腺処置デバイス。
【請求項３７】
前記ＭＲＩコイルから前記中間ハウジング部を通じて前記近位のハウジング部へ近位に走るフレキシブル回路をさらに含む請求項３０〜３９に記載の解剖学的検出システム誘導前立腺処置デバイス。
【請求項３８】
前記フレキシブル回路が、ポリマー基板上に薄い金属片を含む請求項３７に記載の解剖学的検出システム誘導前立腺処置デバイス。
【請求項３９】
金属が銅を含み、基板がポリイミドを含む請求項３８に記載の解剖学的検出システム誘導前立腺処置デバイス。
【請求項４０】
前記フレキシブル回路の近位端に連結したインターフェースボードをさらに含む請求項３７〜３９のいずれか１項に記載の解剖学的検出システム誘導前立腺処置デバイス。
【請求項４１】
前記近位のハウジング部に連結したクランプハンドルをさらに含む請求項１〜４０のいずれか１項に記載の解剖学的検出システム誘導前立腺処置デバイス。
【請求項４２】
前記近位のハウジング部に連結した圧迫環をさらに含む請求項１〜４１のいずれか１項に記載の解剖学的検出システム誘導前立腺処置デバイス。
【請求項４３】
解剖学的検出システムに対してデバイスを位置付ける、解剖学的検出システムで検出可能な化学物質の１点以上をさらに含む請求項１〜４２のいずれか１項に記載の解剖学的検出システム誘導前立腺処置デバイス。
【請求項４４】
前記解剖学的検出システムで検出可能な化学物質が、硫酸バリウムおよび／または二酸化チタンで任意選択的にドープした、ポリカーボネート、ＡＢＳ／ポリカーボネートブレンド、ポリエステル、またはナイロンなどのプラスチック；金、タンタル、プラチナ、タングステン、チタン、コバルト−クロム、ステンレス鋼板、鉄−クロム-ニッケル、ジルコニウム、およびそれらの合金などの金属；液体造影剤；水；ヒドロゲル；細線ウィービングまたはパターニング；またはそれらの組み合わせの１つ以上を含む請求項４３に記載の解剖学的検出システム誘導前立腺処置デバイス。
【請求項４５】
前記解剖学的検出システムで検出可能な化学物質の１点以上が前記器具ガイドの遠位端に位置している請求項４４に記載の解剖学的検出システム誘導前立腺処置デバイス。
【請求項４６】
前記解剖学的検出システムで検出可能な化学物質の１点以上が収束点に位置する請求項４４に記載の解剖学的検出システム誘導前立腺処置デバイス。
【請求項４７】
前記解剖学的検出システムで検出可能な化学物質の１点以上が前記器具角度方向付けシステムの中心に位置している請求項４４に記載の解剖学的検出システム誘導前立腺処置デバイス。
【請求項４８】
マッチング部品、および／またはパワースプリッター、および／または信号結合器の１つ以上をさらに含む請求項３０〜４７のいずれか１項に記載の解剖学的検出システム誘導前立腺処置デバイス。
【請求項４９】
前記遠位のハウジング部が、器具がデバイスを通れるようにする切り抜きを、前記遠位のハウジング部の下面に含む請求項１〜４８のいずれか１項に記載の解剖学的検出システム誘導前立腺処置デバイス。
【請求項５０】
前記切り抜きが、前記器具の動きを定める遠位の円すいに一致する請求項４９に記載の解剖学的検出システム誘導前立腺処置デバイス。
【請求項５１】
遠位のハウジングが、ヒト直腸のＪ形状に一致するように構成されている請求項１〜５０のいずれか１項に記載の解剖学的検出システム誘導前立腺処置デバイス。
【請求項５２】
前記遠位のハウジング部の遠位の表面が、肛門および直腸組織の挿入および保護を容易にするために丸みを帯びている請求項１〜５１のいずれか１項に記載の解剖学的検出システム誘導前立腺処置デバイス。
【請求項５３】
遠位のハウジング部が、ハウジングの中心線から約１０〜約６０°から上方に曲げられている請求項１〜５１のいずれか１項に記載の解剖学的検出システム誘導前立腺処置デバイス。
【請求項５４】
請求項１〜５３のいずれかに記載のデバイスと、医療処置を行う器具とを含むシステム。
【請求項５５】
前記器具が、生検針、プローブ、センサシステム、処置デバイス、治療の器具システム、または化学物質配置デバイスを含む請求項５４に記載のシステム。
【請求項５６】
前記化学物質配置デバイスが、取り外し可能なマーカー、染料／造影剤、薬、または取り外し可能ではないマーカーを含む請求項５５に記載のシステム。
【請求項５７】
前記器具が、解剖学的検出システムの検出可能なマーカーを遠位端に含む請求項５５または５６に記載のシステム。
【請求項５８】
前記器具が深度表示器を含む請求項５４〜５７のいずれか１項に記載のシステム。
【請求項５９】
解剖学的検出システムに対して固定されたデバイスを保持するように構成されたクランプをさらに含む請求項５４〜５８のいずれか１項に記載のシステム。
【請求項６０】
請求項１〜５３のいずれか１項に記載の解剖学的検出システム誘導前立腺処置デバイスの遠位端を対象の前立腺に近接した対象の直腸内に導入するステップと、
解剖学的検出システムを用いて、前立腺を含む対象の解剖学的特徴および前記解剖学的検出システム誘導前立腺処置デバイスのデータを得るステップと、
デバイスおよび前記前立腺の位置を確立するステップと、
処置のために前記前立腺上または前記前立腺内の組織の三次元空間における位置を決定するステップと、
三次元空間における位置を器具角度方向付けシステムへ移すステップと、
前記器具角度方向付けシステムを用いて器具を前記前立腺の部位へ誘導し、それによって処置を行うステップと、
を含むことを特徴とする対象の前立腺で解剖学的検出システム誘導処置を行う方法。
【請求項６１】
前記処置が生検であり、前記器具が生検針であり、前記前立腺上または前記前立腺内の組織が、少なくとも一部はイメージングデバイスで得られたデータによって生検のために選択され、生検試料を得るステップをさらに含む請求項６０に記載の方法。
【請求項６２】
前記器具が、生検針、プローブ、センサシステム、処置デバイス、治療の器具システム、または化学物質配置デバイスを含む請求項６０に記載の方法。
【請求項６３】
前記化学物質配置デバイスが、取り外し可能なマーカー、染料／造影剤、薬、または取り外し可能ではないマーカーを含み、前記処置が、前記前立腺上または前記前立腺内の組織に染料／造影剤、薬、または取り外し可能ではないマーカーを配置することを含む請求項６２に記載の方法。
【請求項６４】
前記器具が、前記解剖学的検出システムの検出可能なマーカーを遠位端に含む請求項６０〜６３のいずれか１項に記載の方法。
【請求項６５】
前記器具が深度表示器を含む請求項６０〜６４のいずれか１項に記載の方法。
【請求項６６】
前記解剖学的検出システムに対して固定されたデバイスを保持するステップをさらに含む請求項６０〜６５のいずれか１項に記載の方法。
【請求項６７】
前記解剖学的検出システムで画像を得るステップをさらに含む請求項６０〜６６のいずれか１項に記載の方法。
【請求項６８】
近位端と、遠位端と、遠位のハウジング部とを有し、前記遠位のハウジング部は、肛門内に挿入され、対象の直腸内に保持されるように構成されているハウジングと；
前記ハウジングの近位端に、器具収束点の周囲の三次元の可変の角度の方向を指示する器具角度方向付けシステムと、
前記遠位のハウジング部内に配置したＭＲＩコイルと、を含むことを特徴とする前立腺処置デバイス。
【請求項６９】
前記遠位のハウジング部が、前記ハウジングの中心線から上方に曲げられている請求項６８に記載の前立腺処置デバイス。
【請求項７０】
前記遠位のハウジング部が、前記ハウジングの中心線から約１０〜約６０°曲げられている請求項６９に記載の前立腺処置デバイス。
【請求項７１】
遠位のハウジングが、ヒト直腸のＪ形状に一致するように構成されている請求項６８〜７０のいずれか１項に記載の前立腺処置デバイス。
【請求項７２】
前記遠位のハウジング部の遠位の表面が、肛門および直腸組織の挿入および保護を容易にするために丸みを帯びている請求項６８〜７１のいずれか１項に記載の前立腺処置デバイス。
【請求項７３】
前記ＭＲＩコイルがループアンテナを含む請求項６８〜７２のいずれか１項に記載の前立腺処置デバイス。
【請求項７４】
前記ＭＲＩコイルがバタフライアンテナを含む請求項６８〜７３のいずれか１項に記載の前立腺処置デバイス。
【請求項７５】
前記ＭＲＩコイルがループアンテナとバタフライアンテナとを含み、前記ループアンテナおよび前記バタフライアンテナが、位相機で９０°の位相のずれで駆動されて、環状に分極した磁場を生じる請求項６８〜７４に記載の前立腺処置デバイス。
【請求項７６】
マッチング部品、および／またはパワースプリッター、および／または信号結合器の１つ以上をさらに含む請求項６８〜７５のいずれか１項に記載の前立腺処置デバイス。
【請求項７７】
前記遠位のハウジング部が、器具がデバイスを通れるようにする切り抜きを、前記遠位のハウジング部の下面に含む請求項６８〜７７に記載の前立腺処置デバイス。
【請求項７８】
前記切り抜きが、器具角度の変動の円すいに一致する請求項７７に記載の前立腺処置デバイス。
【請求項７９】
前記器具収束点が、近位端と遠位端との間に配置されており、前記器具収束点が、収束点に対して近位および遠位の両方の器具の動きを定める近位の円すいおよび遠位の円すいの交点によって定められ、可変および選択可能な角度で前記器具が前記器具収束点を通れるように構成されている請求項６８〜７８のいずれか１項に記載の前立腺処置デバイス。
【請求項８０】
前記器具収束点が、前記器具を三次元配置へ遠位に向けるように構成されている装置内に含まれる請求項６８〜７９に記載の前立腺処置デバイス。
【請求項８１】
標的組織と前記器具収束点との間の数学的関係が、近位側および挿入深さでの移動の相対的、または絶対的なインクリメントを使用者に示すように利用されて、前記標的組織を妨害する請求項６８〜８０に記載の前立腺処置デバイス。
【請求項８２】
角度方向付けシステムが、前記器具の遠位端の侵入深さを指示する請求項６８〜８１のいずれか１項に記載の前立腺処置デバイス。
【請求項８３】
角度方向付けシステムが、前記器具の遠位端の三次元の位置を指示する請求項６８〜８２のいずれか１項に記載の前立腺処置デバイス。
【請求項８４】
器具ガイドをさらに含む請求項６８〜８３のいずれか１項に記載の前立腺処置デバイス。
【請求項８５】
前記器具ガイドが実質的に円錐である請求項８４に記載の前立腺処置デバイス。
【請求項８６】
収束点が、デバイスの近位端およびデバイスの遠位端から走る軸に沿って平行移動可能である請求項６８〜８５のいずれか１項に記載の前立腺処置デバイス。
【請求項８７】
前記ハウジングが中間ハウジング部を含み、前記前立腺処置デバイスが、前記中間ハウジング部内で回転抑制され、前記器具収束点を中心とする球状ターゲティングボールをさらに含む請求項６８〜８６のいずれか１項に記載の前立腺処置デバイス。
【請求項８８】
前記球状ターゲティングボールが近位側と遠位側とを含み、通過する器具を受けるように構成されている円錐状切り抜きを近接した側に含む請求項８７に記載の前立腺処置デバイス。
【請求項８９】
前記器具ガイドが、前記球状ターゲティングボールの遠位側から伸びる請求項８７または８８に記載の前立腺処置デバイス。
【請求項９０】
前記器具ガイドが、前記球状ターゲティングボールの近位側から伸びる請求項８４〜８９のいずれか１項に記載の前立腺処置デバイス。
【請求項９１】
前記器具ガイドが調節可能であり、前記前立腺の外壁に対して位置づけることができる請求項８４〜９０のいずれか１項に記載の前立腺処置デバイス。
【請求項９２】
前記器具角度方向付けシステムが、固定配列器具角度方向付けシステムを含む請求項６８〜９１のいずれか１項に記載の前立腺処置デバイス。
【請求項９３】
前記固定配列器具角度方向付けシステムが、曲線状固定配列器具角度方向付けシステムを含む請求項９２に記載の前立腺処置デバイス。
【請求項９４】
前記ハウジングが近位のハウジング部を含み、前記固定配列器具角度方向付けシステムが、近位端近くの前記近位のハウジング部内に配置されたグリッドアレイプレートを含み、前記グリッドアレイプレートが、チャンネル軸が収束点収束するにように配向した、チャンネル軸をそれぞれ有する複数の器具アクセスチャンネルを有する請求項９１または９２に記載の前立腺処置デバイス。
【請求項９５】
前記器具角度方向付けシステムが、連続的に可変の座標器具角度方向付けシステムを含む請求項６８〜９１のいずれか１項に記載の前立腺処置デバイス。
【請求項９６】
前記連続的に可変の座標器具角度方向付けシステムが、デカルト座標システムを含む請求項９５に記載の前立腺処置デバイス。
【請求項９７】
前記ハウジングが近位のハウジング部を含み、前記ハウジングの近位端に位置した割り出しキャリッジをさらに含み、前記割り出しキャリッジは、直線状レールアセンブリに沿って移動するように抑制されており、前記直線状レールアセンブリは、使用者が器具を望ましい角度に向けることができるようにする直線状レールアセンブリに垂直に移動するように抑制され、前記器具ガイドが、収束点から前記割り出しキャリッジまで近位に伸びる請求項９６に記載の前立腺処置デバイス。
【請求項９８】
前記割り出しキャリッジがピボット軸受を含み、ガイドが前記収束点から前記ピボット軸受まで伸びる請求項９７に記載の前立腺処置デバイス。
【請求項９９】
連続的に可変の座標器具角度方向付けシステムが、円錐座標器具角度方向付けシステムを含む請求項９２に記載の前立腺処置デバイス。
【請求項１００】
前記ハウジングが近位のハウジング部を含み、前記連続的に可変の円筒状座標器具角度方向付けシステムが、前記近位のハウジング部内に回転可能に配置された円形のプレートを含み、前記円形のプレートは、その中心から、および切り抜きガイド内に摺動自在に配置された割り出しキャリッジから半径方向に伸びる切り抜きガイドを含み、器具ガイドが、収束点から前記割り出しキャリッジまで近位に伸びる請求項９９に記載の前立腺処置デバイス。
【請求項１０１】
前記割り出しキャリッジがピボット軸受を含み、ガイドが前記収束点から前記ピボット軸受まで伸びる請求項１００に記載の前立腺処置デバイス。
【請求項１０２】
極座標を特定する半径方向の位置および角度位置を表す段階的マーキングをさらに含む請求項９９または１００に記載の前立腺処置デバイス。
【請求項１０３】
前記器具が、生検針、プローブ、センサシステム、処置デバイス、治療の器具システム、または化学物質配置デバイスを含む請求項６８〜１０２のいずれか１項に記載の前立腺処置デバイス。
【請求項１０４】
前記化学物質配置デバイスが、取り外し可能なマーカー、染料／造影剤、薬、または取り外し可能ではないマーカーを含む請求項１０３に記載の前立腺処置デバイス。
【請求項１０５】
前記ＭＲＩコイルから前記中間ハウジング部を通じて前記近位のハウジング部へ近位に走るフレキシブル回路をさらに含む請求項６８〜１０４に記載の前立腺処置デバイス。
【請求項１０６】
前記フレキシブル回路が、ポリマー基板上に薄い金属片を含む請求項１０５に記載の前立腺処置デバイス。
【請求項１０７】
金属が銅を含み、基板がポリイミドを含む請求項１０６に記載の前立腺処置デバイス。
【請求項１０８】
前記フレキシブル回路の近位端に連結したインターフェースボードをさらに含む請求項１０５〜１０７のいずれか１項に記載の前立腺処置デバイス。
【請求項１０９】
前記近位のハウジング部に連結したクランプハンドルをさらに含む請求項６８〜１０８のいずれか１項に記載の前立腺処置デバイス。
【請求項１１０】
前記近位のハウジング部に連結した圧迫環をさらに含む請求項６８〜１０９のいずれか１項に記載の前立腺処置デバイス。
【請求項１１１】
ＭＲＩシステムに対してデバイスを位置づけるＭＲＩシステムで検出可能な剤の１点以上をさらに含む請求項６８〜１１０のいずれか１項に記載の前立腺処置デバイス。
【請求項１１２】
解剖学的検出システムで検出可能な化学物質が、硫酸バリウムおよび／または二酸化チタンで任意選択的にドープした、ポリカーボネート、ＡＢＳ／ポリカーボネートブレンド、ポリエステル、またはナイロンなどのプラスチック；金、タンタル、プラチナ、タングステン、チタン、コバルト−クロム、ステンレス鋼板、鉄−クロム-ニッケル、ジルコニウム、およびそれらの合金などの金属；液体造影剤；水；ヒドロゲル；細線ウィービングまたはパターニング；またはそれらの組み合わせの１つ以上を含む請求項１１１に記載の前立腺処置デバイス。
【請求項１１３】
検出可能な剤の１点以上が前記器具ガイドの遠位端に位置している請求項１１２に記載の前立腺処置デバイス。
【請求項１１４】
検出可能な剤の１点以上が収束点に位置する請求項１１２に記載の前立腺処置デバイス。
【請求項１１５】
検出可能な剤の１点以上が前記器具角度方向付けシステムの中心に位置している請求項１１２に記載の前立腺処置デバイス。
【請求項１１６】
前記遠位のハウジング部が、器具がデバイスを通れるようにする切り抜きを、前記遠位のハウジング部の下面に含む請求項６８〜１１５のいずれか１項に記載の前立腺処置デバイス。
【請求項１１７】
前記切り抜きが前記器具の動きを定める遠位の円すいに一致する請求項１１６に記載の前立腺処置デバイス。
【発明の詳細な説明】
【技術分野】
【０００１】
（相互参照）
本願は、米国特許仮出願第６２／３８２,６３１号（２０１６年９月１日出願。参照によりその全体が本願に援用される）の最先出願日の優先権の利益を主張する。
【０００２】
（政府権利の記載）
本発明は、国立先進トランスレーショナル科学センターによって提供された５  ＵＬ１  ＴＲ０００１２８  １０の下での政府支援によりなされたものである。
【０００３】
（技術分野）
本開示は、組織生検の分野に関する。より具体的には、本開示は、前立腺組織の解剖学的検出システムでターゲットとされた生検のためのデバイス、システム、および方法に関する。
【背景技術】
【０００４】
前立腺癌は主要な社会経済問題である。米国では、典型的には異常な血清前立腺特異的抗原（ＰＳＡ）レベルまたはデジタル直腸検査の後に約１００万人の男性が毎年前立腺生検を受け（Ｌｏｅｂ  Ｓ  ｅｔ  ａｌ，Ｊ  Ｕｒｏｌ  １８６，１８３０−１８３４（２０１１））、これらの男性の約２０％が癌に陽性の結果を得る。概して、アメリカ人男性の前立腺癌診断の寿命リスクは、約１／６であり、診断されたものの大体１２％が、疾患が原因で死亡する。前立腺癌診断への対処の現在の標準は、組織的経直腸超音波誘導生検であり、その最中では、泌尿器科医が、直腸に設置した超音波プローブを使用して、前立腺（正常であり、腫瘍ではない）の位置を特定し、腺の標準位置から１２個以上の針芯の生検を得る。前立腺癌は、そのようなランダム組織的生検によって診断される唯一の固形悪性腫瘍である。対照的に、乳癌が胸の標準位置に１２本の針を配置することによって診断されることは想像できず、まだこれが前立腺癌での長期にわたる「最先端」である。この標準アプローチは、不穏に高い割合の偽陰性の診断（見逃した癌、１５〜４６％）、過剰診断（疑わしい臨床的意義の無痛のグリーソン６の癌の検出、４５％）および過小診断（最終の処置病変と比較した際により下である癌の格付け、３８％）を伴う（Ｄｏｍｉｎｇｕｅｚ−Ｅｓｃｒｉｇ  ＪＬ  ｅｔ  ａｌ，Ｐｒｏｓｔａｔｅ  Ｃａｎｃｅｒ  ３８６２０７（２０１１）；Ｋｖａｌｅ  Ｒ  ｅｔ  ａｌ，ＢＪＵ  Ｉｎｔｅｒｎａｔｉｏｎａｌ  １０３，１６４７−５４（２００９）；Ｓｉｄｄｉｑｕｉ  ＭＭ  ｅｔ  ａｌ，Ｅｕｒ  Ｕｒｏｌ  ６４，７１３−７１９（２０１３））。フリーハンドの組織的生検でも、針の位置の意図的でない幾何学的エラーおよびクラスタリング、並びにテンプレート化した組織的生検と比較した際に癌の検出が減少している（Ｉｔａｔａｎｉ  Ｒ  ｅｔ  ａｌ，Ｅｕｒ  Ｊ  Ｒａｄｉｏｌ８３，１７４０-１７４５（２０１４）およびＨａｎ  Ｍ  ｅｔ  ａｌ，Ｊ  Ｕｒｏｌ；１８８：２４０４−２４０９（２０１２））。
【０００５】
前立腺癌が疑わしい患者の約６０％において、多変数前立腺ＭＲＩが、ターゲットとされた生検での疾患の起こりうる場所を正確に示すことができる（Ｍｏｏｒｅ  ＣＭ  ｅｔ  ａｌ，Ｅｕｒ  Ｕｒｏｌ６３，１２５-１４０（２０１３））。得られた信号対ノイズ比の改善が、顕著に腫瘍検出および病期付けを改善することから、直腸内で表面コイルを用いる前立腺ＭＲＩが最もよく実施される（Ｔｕｒｋｂｅｙ  Ｂ  ｅｔ  ａｌ，Ｊ  Ｍａｇｎ  Ｒｅｓｏｎ  Ｉｍａｇｉｎｇ  ３９，１４４３−１４４８（２０１４）およびＦｕｔｔｅｒｅｒ  ＪＪ  ｅｔ  ａｌ，Ｅｕｒ  Ｒａｄｉｏｌ  １７，１０５５−１０６５（２００７））。ＭＲＩでターゲットとされた生検が、偽陰性の診断、過剰診断、および過小診断の割合を減少させることが示されている（上記Ｓｉｄｄｉｑｕｉ  ＭＭ  ｅｔ  ａｌ，２０１３；Ｖａｎ  ｄｅ  Ｖｅｎ  ＷＪＭ  ｅｔ  ａｌ，Ｎａｔｕｒｅ  Ｒｅｖｉｅｗｓ  Ｕｒｏｌｏｇｙ  １０，５５９−５５６（２０１３）；Ｋｌｅｉｎ  ＥＡ、Ｎａｔ  Ｒｅｖ  Ｃｌｉｎ  Ｏｎｃｏｌ  １２，２５３−２５４（２０１５）；Ｎａｓｓｉｒｉ  Ｎ  ｅｔ  ａｌ，Ｕｒｏｌｏｇｙ  ８６，４３２−４３８（２０１５）；Ｍｅｎｄｈｉｒａｔｔａ  Ｎ  ｅｔ  ａｌ，Ｊ  Ｕｒｏｌ  １９４，１６０１  −１６０６（２０１５）；Ｈｏｅｋｓ  ＣＭ  ｅｔ  ａｌ，Ｅｕｒｏｐｅａｎ  Ｕｒｏｌｏｇｙ  ６２，９０２−９０９（２０１２））。ターゲットとされた生検から得られる改善した腫瘍の特徴付けおよび治療層別化は、１０年にわたるＭＲＩと関連した初期コストを相殺し得る（ｄｅ  Ｒｏｏｉｊ  Ｍ  ｅｔ  ａｌ，Ｅｕｒｏｐｅａｎ  Ｕｒｏｌｏｇｙ６６，４３０-４３６（２０１４））。しかしながら、ＭＲＩでターゲットとされた生検のより幅広い採用への障壁として、コスト、アクセス、およびスケジューリングの懸念が残る。
【０００６】
ＭＲＩでターゲットとされた生検は、直接（「インボア（ｉｎ  ｂｏｒｅ）」）または融合アプローチを用いて実施できるが、それぞれ制限がある。両方のアプローチの主な制限は、例えば、それらが２つの別個の手順、すなわち、診断のＭＲＩの後の別個のＭＲＩでターゲットとされた生検を必要とし、診断経路が時間のかかるものとなり、高価となることである。直接解剖学的検出システム誘導生検のさらなる制限は、組織的なコアが処置中に得ることができず、直腸内コイルを使用しないので生検画像の品質が低下することである。融合生検の制限は、針が同じモダリティで標的を横断するのが見られず（画像誘導生検の基本原理に違反する）、前立腺の手技中の変形が、生検中のターゲットの誤りによる重要な位置合わせの誤りをもたらし得ることである。別の共通の制限は、両方アプローチが、供給業者特有のソフトウェアを必要とすることである。これらの要因のすべてにより、当分野の状態を進め、診断の前立腺生検処置を改善する新しいシステムおよび方法が必要とされている。
【発明の概要】
【０００７】
（開示の簡単な概要）
本開示に記載の医療デバイスは、遠位のハウジング部と、近位のハウジング部と、器具収束点とを有するハウジングを含み、遠位のハウジング部は、ヒトの肛門内へ挿入され、直腸で保持されるように構成され、近位のハウジング部は、可変の角度での操作のために角度方向付けシステムと収束点との間を医療器具が通り得るように角度方向付けシステムを含む。
【０００８】
また、本開示に記載の医療デバイスは、遠位のハウジング部と、近位のハウジング部と、中間ハウジング部とを有するハウジングを含み、遠位のハウジング部は、ヒトの肛門内へ挿入され、直腸で保持されるように構成され、近位のハウジング部は、可変の角度での操作のために角度方向付けシステムと収束点との間を医療器具が通り得るように、角度方向付けシステムを含み、中間ハウジング部は収束点を含む。
【０００９】
一部の実施形態では、医療デバイスは、医療器具が生検針である前立腺生検デバイスを含む。
【００１０】
さらなる実施形態では、上記医療デバイスは解剖学的検出システムをさらに含む。解剖学的検出システムの例としては、磁気共鳴検出システムや、コンピュータ断層撮影（ＣＴ）解剖学的検出システム、超音波解剖学的検出システムおよびレーザー解剖学的検出システムを含むがこれらに限定されない能動的または受動的な電磁気検出システムが挙げられるが、これらに限定されない。
【図面の簡単な説明】
【００１１】
以下の詳細な説明と添付の図および添付の特許請求の範囲とによって実施形態は容易に理解されるであろう。実施形態は例として示されるものであり、添付の図の形状を限定するものではない。
【図１】様々な実施形態に従う、固定した曲線状配列の器具角度方向付けシステムを有する解剖学的検出システム誘導前立腺処置デバイスの側断面図である。
【図２】様々な実施形態に従う、図１に示す解剖学的検出システム誘導前立腺処置デバイスの近位面からの透視図である。
【図３】様々な実施形態に従う、図１に示す解剖学的検出システム誘導前立腺処置デバイスの遠位面からの透視図である。
【図４】様々な実施形態に従う、デカルト座標器具角度方向付けシステムを有する解剖学的検出システム誘導前立腺処置デバイスの側断面図である。
【図５】様々な実施形態に従う、図４に示す解剖学的検出システム誘導前立腺処置デバイスの近位面からの透視図である。
【図６】様々な実施形態に従う、図４に示す解剖学的検出システム誘導前立腺処置デバイスの遠位面からの透視図である。
【図７】様々な実施形態に従う、円筒状座標器具角度方向付けシステムを有する解剖学的検出システム誘導前立腺処置デバイスの側断面図である。
【図８】様々な実施形態に従う、図７に示す解剖学的検出システム誘導前立腺処置デバイスの近位面からの透視図である。
【図９】様々な実施形態に従う、図７に示す解剖学的検出システム誘導前立腺生検の遠位面からの透視図である。
【図１０】様々な実施形態に従う、デバイスの遠位端におけるイメージングコイルの配置を示す解剖学的検出システム誘導前立腺処置デバイスの一部透明な側面斜視図である。
【図１１】様々な実施形態に従う、デバイスの遠位端の直近位にあるイメージングコイルの配置を示す解剖学的検出システム誘導前立腺処置デバイスの一部透明な側面斜視図である。
【図１２】様々な実施形態に従う、デバイスの中間ハウジング部および遠位のハウジング部を横断するイメージングコイルの配置を示す解剖学的検出システム誘導前立腺処置デバイスの一部透明な側面斜視図である。
【図１３】様々な実施形態に従う、解剖学的検出システム誘導前立腺処置デバイスの水平面を定めるのに使用される前立腺に対しての針ガイド、球状ターゲティングボールおよび中心ブッシングの方向を概略的に示す側面図である。
【図１４】様々な実施形態に従う、解剖学的検出システム誘導前立腺処置デバイスの垂直面を定めるのに使用される前立腺に対しての針ガイド、球状ターゲティングボールおよび中心ブッシングの方向を概略的に示す上から見た図である。
【図１５】様々な実施形態に従う、解剖学的検出システム誘導前立腺処置デバイスの垂直面および水平面に対しての前立腺の疑わしい部分の角度を概略的に示す透視図である。
【図１６】様々な実施形態に従う、解剖学的検出システム誘導前立腺処置デバイスのグリッドプレートおよびグリッドプレートのマップにマッピングした前立腺の疑わしい部分の角度を概略的に示す透視図である。
【図１７】様々な実施形態に従う、対象の前立腺および腸の画像で重ね合わせた解剖学的検出システム誘導前立腺処置デバイスの概略側面図である。
【図１８】様々な実施形態に従う、前立腺アクセスの領域と生検針の動きの範囲との間の対応を概略的に示す上から見た図である。
【図１９】様々な実施形態に従う、対象の前立腺および腸の画像で重ね合わせた解剖学的検出システム誘導前立腺処置デバイスの概略側面図である。
【図２０】様々な実施形態に従う、イメージングコイルのための接続を示す解剖学的検出システム誘導前立腺処置デバイスの透視図である。
【図２１】様々な実施形態に従う、インターフェースボードとイメージングコイルとの間の接続を示す近接した図である。
【図２２】様々な実施形態に従う、インターフェースボードと外部ケーブルとの間の接続を示す解剖学的検出システム誘導前立腺処置デバイスのためのクランプ環の透視図である。
【図２３】様々な実施形態に従う、フレキシブル回路およびイメージングコイルを示す解剖学的検出システム誘導前立腺処置デバイスの透視図である。
【図２４】様々な実施形態に従う、イメージングコイルの概略図である。
【図２５】様々な実施形態に従う、イメージングコイルの概略図である。
【図２６】様々な実施形態に従う、選択された電子機器と共に連結した図２４および２５のイメージングコイルの概略図である。
【図２７】様々な実施形態に従う、解剖学的検出システム誘導前立腺処置デバイスの側断面図である。
【図２８】様々な実施形態に従う、解剖学的検出システム誘導前立腺処置デバイスの側断面図である。
【図２９】様々な実施形態に従う、典型的なマッチング回路の概略図である。
【図３０】様々な実施形態に従う、典型的な９０°位相シフト回路の概略図である。
【図３１】様々な実施形態に従う、典型的なパワースプリッター結合器回路の概略図である。
【発明を実施するための形態】
【００１２】
以下の詳細な説明ではその一部を形成する添付の図を参照するが、これらの図は、実施可能な形態を例示するものである。他の実施形態を用いることも可能であり、また、構造的あるいは論理的な変更が実施形態の範囲を逸脱することなく行われ得ることは理解されるべきである。従って、以下の詳細な説明は制限的な意味合いで捉えられるものではなく、実施形態の範囲は、添付の請求項およびそれらの均等物によって画定されるものである。
【００１３】
実施形態の理解に有用な方法で、種々の操作を複数の別個の操作として順番に説明するが、説明の順番は、これらの操作が順番に依存することを意味すると解釈すべきでない。
【００１４】
説明では、上下、前後および頂部／底部などの斜視図法に基づいた記載が用いられる。こうした記載は単に議論を容易にするために用いられるものであり、開示された実施形態の用途を制限することを意図したものではない。
【００１５】
「連結された」、「接続された」およびそれらの派生語が用いられ得る。これらの用語は、互いに同意語を意図したものではないと理解すべきである。むしろ、特定の実施形態では、「接続された」は、２つ以上の要素が互いに直接物理的に接触していることを示すために用いられ得る。「連結された」は、２つ以上の要素が直接物理的に接触していることを意味し得る。しかしながら、「連結された」は、２つ以上の要素が互いに直接には接触していないが、互いに協働または相互作用していることも意味し得る。
【００１６】
本説明において、「Ａ／Ｂ」または「Ａおよび／またはＢ」は、（Ａ）、（Ｂ）または（ＡおよびＢ）を意味する。本説明において、「Ａ、ＢおよびＣの内の少なくとも１つ」は、（Ａ）、（Ｂ）、（Ｃ）、（ＡおよびＢ）、（ＡおよびＣ）、（ＢおよびＣ）または（Ａ、ＢおよびＣ）を意味する。本説明においてに、「（Ａ）Ｂ」は、（Ｂ）または（ＡＢ）、すなわち、Ａは任意の要素であることを意味する。
【００１７】
説明には、「（１つの）実施の形態」または「（複数の）実施の形態」との語句が使用されてもよい。これらはそれぞれ、１つ以上の同じまたは異なる実施の形態を意味してもよい。さらに、実施の形態に関して使用される「含む（ｃｏｍｐｒｉｓｉｎｇ）」、「含む（ｉｎｃｌｕｄｉｎｇ）」、「有する（ｈａｖｉｎｇ）」などの語句は同義語であって、一般には「開いた（ｏｐｅｎ）」語句を意図する（たとえば、「含む（ｉｎｃｌｕｄｉｎｇ）」との語句は、「含むがこれには限られない」と解釈されるべきである。「有する（ｈａｖｉｎｇ）との語句は、「少なくとも〜を有する」と解釈されるべきである。「含む（ｉｎｃｌｕｄｅｓ）」との語句は、「含むがこれには限られない」と解釈されるべきである、など）。量とともに使用される修飾語句「約」は、表示の値を含み、文脈によって決まる意味を有する（例えば、特定の量の測定に伴う誤差の程度を含む）。本開示の文脈において、「対象」は、治療、観察または実験の対象物であるか、またはなりうる哺乳類などの動物を指す。本開示に記載のデバイス、システムおよび方法は、ヒト治療および獣医の両方の用途に有用であり得る。一部の実施形態では、対象は哺乳類である。一部の実施形態では、対象はヒトである。
【００１８】
本開示における複数形および／または単数形のいずれの使用について、当業者は、文脈および／または用途に適切であるように、複数から単数へ、および／または単数から複数へ変換できる。様々な単数／複数の置換が、明確のために本開示にて明示され得る。
【００１９】
本開示の前に、ＭＲＩでターゲットとされた生検のための２つの新たな選択肢、すなわち融合およびインボア（ｉｎ−ｂｏｒｅ）アプローチがあった。両方とも、診断のＭＲＩ処置の後の別個の生検処置からなる２段階のプロセスを伴う。また、両方のアプローチは、重要な制限を有する。融合生検では、ターゲットがＭＲＩ画像で特定され、その後、リアルタイムの経直腸超音波画像上へ「彩色され」、その結果処置者が超音波誘導の下で針を標的に向ける。融合は、ＭＲＩ画像の超音波画像上への正確な共同位置合わせを必要とする。プローブの動きによる前立腺のいずれの変形も、ＭＲＩと超音波画像との間に位置ずれを引き起こし得、その結果、癌がターゲティング中に見逃されることになる。インボア（ｉｎ−ｂｏｒｅ）生検は、チャンネルが標的の方を正確に向くまで、単一のチャンネル導入器の時間のかかる、繰り返しの調整を必要とする。２つ以上の標的の生検は、調節プロセスを繰り返す必要があり、それによって処置時間が実質的に増加する。
【００２０】
本開示にて、前立腺生検などの前立腺関連手順を１つの手順に減らす新規デバイス、システム、およびそれを用いる方法が開示される。特定の典型的な実施形態では、開示されるデバイスは、診断の前立腺ＭＲＩとＭＲＩでターゲットとされた生検との組み合わせを可能にする。実施形態では、開示されるデバイス、システム、および方法は、侵襲が最も少ない方法を用いてコアサンプル効果的に標的にし、得ることが可能な正確で費用効率の高い前立腺生検処置のニーズに応えるものである。組織的生検中に得られるコアの数が増加し、生検を繰り返し使用して、積極的監視で患者をモニターすることが増えることから、多数の連続の生検が、敗血症、排尿の低下、および勃起機能不全を含む重篤な合併症を引き起こすことが次第に認識されている（上記Ｌｏｅｂ  Ｓ  ｅｔ  ａｌ，２０１１；Ｆｕｊｉｔａ  Ｋ  ｅｔ  ａｌ，Ｊ  Ｕｒｏｌ  １８２，２６６４−２６６９（２００９）；Ｋｌｅｉｎ  Ｔ  ｅｔ  ａｌ，Ｊ  Ｕｒｏｌ  １８４，１４４７−１４５２（２０１０）参照）。組織的な収集に基づくアプローチよりもむしろターゲット化アプローチは、感染のリスクを最小限にし、治療の最適な進行を可能にする。さらに、組織的生検は痛みを伴い、２５％の患者が穏やかな痛みから強い痛みを表し、１９％が処置を繰り返し受けるのを拒むことが報告されている。上述した融合およびインボア（ｉｎ−ｂｏｒｅ）アプローチに対して、開示されるデバイス、システムおよび方法は、ＭＲＩデータなどの高品質の解剖学的検出システムデータを用いるターゲティングの利点のみならず、前立腺の最も高い値のターゲットからの組織の迅速な取得をもたらす。本開示では磁気共鳴に向けられた解剖学的検出システムに特に注目しているが、本開示に開示されるデバイス、システム、および方法は、制限されないが、コンピュータ断層撮影（ＣＴ）解剖学的検出システム、超音波解剖学的検出システム、およびレーザー解剖学的検出システムなどの能動的または受動的な電磁気検出システムを用いる他のイメージング技術と共に使用できる。
【００２１】
本開示の態様は、解剖学的検出システム誘導前立腺処置に用いるデバイスに関連する。したがって、制限されないが前立腺生検などの解剖学的検出システム誘導前立腺処置のためのデバイスが開示される。デバイスは、近位端と遠位端とを有するハウジングを含み、遠位端は、使用時に対象により近く、近位端は、挿入および／または使用の間に医療専門家などの使用者により近い。実施形態では、ハウジングは、説明を容易にするために、近位端ハウジング部、中間ハウジング部、および遠位端ハウジング部に分けることができる。デバイスの遠位端ハウジング部は、ヒト男性対象などの男性対象の肛門内へ挿入され、直腸で保持されるように構成される。男性対象の直腸へ挿入された際に、デバイスの遠位端ハウジング部は、前立腺の極めて近いところに保持される（例えば図１７参照）。そのような位置に保持されることで、デバイスを使用して、生検針または他の医療器具などの器具を、例えば解剖学的検出システムによって、またはそれから得られた前立腺の画像などの解剖学的イメージングシステムからのデータ、例えば前立腺のＭＲＩ画像を用いて特定されるか、かつ／または選択される前立腺の特定部分または領域へ誘導することができる。解剖学的検出システム誘導前立腺処置デバイスは、近位端と遠位端との間に配置した器具収束点を含む。器具収束点は、収束点に近位および遠位の器具の動きの範囲を一緒に定める近位の円すいおよび遠位の円すいの交点によって定義される。収束点は、器具が可変の角度で器具収束点を通ることができるように構成されている（例えば収束点を通るシャフトを有する器具の角度が変更され得るか、かつ／または選択され得る）。解剖学的検出システム誘導前立腺処置デバイスは、ハウジングの近位端に器具角度方向付けシステムをさらに含み、角度方向付けシステムは、収束点について三次元（例えば左／右、上／下、内／外）で交差する円錐内で可変の角度の方向を指示する。
【００２２】
近位のハウジング部、中間ハウジング部、および遠位端ハウジング部は、一つの部品から、例えば、解剖学的検出システム（制限されないが、ＭＲＩシステムなど）に適合する硬質プラスチックの一つの部品から製造し得る。一部の実施形態では、近位のハウジング部、中間ハウジング部、および遠位端ハウジング部は、共に適合する複数の部品から製造される。特定の実施形態では、ハウジングは、硬質材料から実質的に製造される一方で、他の実施形態では、遠位のハウジング部の特定の部分などの部分は、遠位のハウジング部の部分が対象の生体構造により容易に一致し得、不快感を制限し得るように、あまり硬くない材料から製造される。注目すべきは、実施形態では、デバイスの外側の部分があまり硬くない、または可塑性の材料から製造され得る一方で、収束点、遠位のハウジング部の固定部および器具角度方向付けシステムは、デバイスを使用している間に互いに対して固定した配置に保持される。そのような構成要素の製造技術は当分野で既知である。
【００２３】
実施形態では、遠位端ハウジング部は、生検針などの器具が、例えば、デバイスの縦軸、例えば中間ハウジング部および近位のハウジング部の軸に対して様々な角度でデバイスを通ることができるようにする切り抜きを含む。一部の例では、この切り抜きは、器具角度変動の円すい、例えば上記の遠位の円すいに合う。一部の実施形態では、遠位のハウジング部の下面（中心線（または縦軸）に向かって）は、デバイスの器具、または他の特徴が配置され得る器具アクセス切り抜きを含む。
【００２４】
実施形態では、遠位のハウジング部は、実質的に整列している近位のハウジング部および中間ハウジング部の中心線（または縦軸）から上方に曲げられている。角度は、平均男性対象の生体構造または少なくとも近似の解剖学的特徴、例えば平均男性対象の直腸に合うように構成されている。実施形態では、この角度は、約１０〜約４５°、などの約１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５°、いずれのそれらの分数、およびいずれのサブセットおよびそれらの範囲であり得る。他の実施形態では、この角度は、まさに述べた個別の角度に加えて、４６、４７、４８、４９、５０、５１、５２、５３、５４、５５、５６、５７、５８、５９、および６０°の角度、並びにいずれの分数、サブセット、およびそれらの範囲などの約１０°〜約６０°の間であり得る。特定の実施形態では、この角度は調節可能である。
【００２５】
一部の実施形態では、例えば図１の１２５、図４の４２５、および図７の７２５として見られる遠位のハウジングは、ヒト直腸のＪ形状と一致するように製造される。さらなる実施形態では、遠位のハウジング部の遠位の表面は、肛門および直腸組織の挿入および保護を容易にするために丸みを帯びている。特定の実施形態では、遠位のハウジング部は、対象の直腸内に適合するようなサイズである。特定の実施形態では、遠位端は実質的に円筒状および／または卵形である。特定の実施形態では遠位のハウジング部の幅および／または半径が約０．５ｉｎ〜約１．５ｉｎである。特定の実施形態では、遠位のハウジングは、例えば、ＭＲＩコイルなどのイメージングコイルを収納する遠位のハウジング部の主要部から突き出るサブハウジングまたは区画を含む。
【００２６】
実施形態では、遠位のハウジング部は、例えばＭＲＩコイルなどの解剖学的検出システムの構成要素を収納する内部区画を含む。区画内のＭＲＩコイルなどの解剖学的検出システムの構成要素の配置は、構成要素の周辺、それ故に前立腺の領域のイメージングを改善する。ＭＲＩ画像コイルなどの典型的なイメージングコイルの設計は、以下に説明されている。デバイスの遠位端が、イメージングコイル（以下に開示されるように）を含む場合、このコイルの前立腺への近接が、得られたイメージングデータの信号とノイズとの比などの品質を上げる。これは、他のデバイスより、開示されるデバイスを用いる処置をより正確なものとする。
【００２７】
実施形態では、デバイスは、近位端と遠位端との間に配置した器具収束点を含む。収束点が、器具が可変の角度で、例えば選択可能な角度でこの点を通れるように構成されている。言い換えると、器具がデバイス内へ、またはデバイスを通して導入される角度に関わらず、器具は収束点を通る。この角度は、上記の交差する円すいの角度に一致する。特定の実施形態では、収束点が、器具がいずれの方向に約０°〜約２５°の間の角度で、すなわち収束点から約５０°の円すいで動けるように構成されおり、これは、代わりとして器具の偏揺れおよびピッチとして考えることができる。特定の実施形態では、器具収束点は、器具を遠位に三次元の位置に、例えば器具の遠位端に向けるように構成されている装置内に含まれる。特定の実施形態では、器具収束点は、器具が通り得る開口部の中心に位置する。特定の実施形態では、器具収束点が、器具が通り得るチャンネル内に位置する。特定の実施形態では、解剖学的検出システムからのデータを用いて選択される標的組織と器具収束点との間の数学的関係が、標的を阻止するように、近位側での移動の相対的なまたは絶対的な増分に加えて挿入深さを使用者に示すために利用される。特定の実施形態では、標的と収束点との間の関係が解剖学的検出システムとやり取りする使用者によって測定されて、デバイスおよび／または器具を相対的にまたは絶対的にどこに移動すべきか決定するように器具収束点が結像され、それ故に、器具が意図された標的を阻止するように、得られた情報が近位のハウジング部および器具へ容易に入力される。そのようなイメージングおよび／またはデータ収集は、処置のいずれの点で、例えば挿入中または挿入後、または挿入前でも実施できる。特定の実施形態では、解剖学的検出システム誘導前立腺処置デバイスの中間ハウジング部は、収束点が位置する窪んでいるくびれを含む。特定の実施形態では、収束点は、デバイスの近位端およびデバイスの遠位端から走る軸に沿って平行移動可能である。特定の実施形態では、例えば肛門外口が窪んでいるくびれの周囲でしぼみ、デバイス所定の位置に維持するか、かつ／または保持するのを助けるように、中間ハウジング部が窪んでおり、対象の肛門で保持されるように構成されている。特定の実施形態では、中間ハウジング部の長さが約０．２５ｉｎ〜約１．０ｉｎである。特定の実施形態では、中間ハウジング部の直径が約０．５ｉｎ〜約１．０ｉｎである。
【００２８】
特定の実施形態では、解剖学的検出システム誘導前立腺処置デバイスは、中間ハウジング部内などのハウジング内で回転抑制されており、器具収束点を中心とする球状ターゲティングボールを含む。特定の実施形態では、球状ターゲティングボールは、近位側および遠位側を有し、近位側はデバイスの近位端に配向され、遠位側はデバイスの遠位端へ配向される。実施形態では、球状ターゲティングボールは、生検針などの器具が、球状ターゲティングボールの中心、それ故に収束点を通ることができるように構成されている。したがって、収束点の周囲の球状ターゲティングボールの回転によって、器具が収束点の周囲で回転できるようになる。特定の実施形態では、収束点は、解剖学的検出システムで得られた画像内の収束点の位置を示すのに使用できる解剖学的検出システム可視マーカーを含む。一部の実施形態では、中間ハウジング部内の窪んでいるくびれの内側の表面が、球状軸受表面を有し、それに対して、球状ターゲティングボールが回転し得る。実施形態では、球状軸受表面は、解剖学的検出システムで検出可能なマーカーを含み得、例えば、ＭＲＩ画像化中に画像コントラストを提供するための、例えば水／ヒドロゲルまたは他の材料のための造影剤区画を含み得る。特定の実施形態では、球状ターゲティングボールは、解剖学的検出システムの検出可能なマーカー自体を含み得るか、または解剖学的検出システムで検出可能な材料から製造され得る。そのような材料は当業者に既知である。これらの特徴は、システム位置合わせおよび組織ターゲティング、例えば前立腺ターゲティングの間の基準マーカーとして使用できる。例えば、イメージングソフトウェアなどのソフトウェアを用いて、デバイスの解剖学的検出システムの検出可能なマーカーの特徴の位置を使用して、患者およびデバイスが使用される検出システムの１つ以上に対しての三次元などの多次元でのデバイスの位置を定めることができる。
【００２９】
実施形態では、球状ターゲティングボールは、近位側に、それを通過する器具を受けるように構成されている円錐状切り抜きを含む。実施形態では、球状ターゲティングボールは、近位側に、例えば角度デバイスの縦軸に対しての角度で生検針を受けるように構成されている円錐状切り抜きを含む。
【００３０】
デバイスに独特の特徴の一つが、ハウジングの近位端に位置した器具角度方向付けシステムである。角度方向付けシステムは、例えば収束点を通る際に、収束点の周囲の器具の角度の方向を指示し、デバイスの長い中心軸（例えば中間ハウジング部および近位のハウジング部の軸）に対して器具が作る角度が器具角度方向付けシステムによって決定づけられる。この器具角度方向付けシステム近位のハウジング部の近位端に位置する。器具角度方向付けシステムは、デバイスの水平面および垂直面に対して水平および垂直に配向した角度の対などの特定の角度で、生検針などの器具を保持するように構成されている。それ自体対象に対して特定の方向で保持されているデバイスに対して特定の角度で器具を保持することによって、対象の画像、例えばＭＲＩ画像などのデータが検出システムで得られ、器具角度方向付けシステムは、器具の配置を誘導するのに使用できる。例として、デバイスの遠位端は、遠位端ハウジング部の切り抜きが前立腺の近くにあるように患者の直腸に挿入される。デバイスの近位端は、例えば近位のハウジング部に連結したクランプハンドルを用いて、固定されたクランプスタンドに連結され、デバイスおよび一般的には対象の移動を防ぐ。例えば、ＭＲイメージング表に添付のＤｙｎａＴＲＩＭベースプレートをＤｙｎａＴＲＩＭクランプスタンドに取り付けることができ、デバイスの位置を維持するのに使用できる。この構成において、器具角度方向付けシステムおよび収束点は前立腺、および生検針などの器具に対して固定され、器具角度方向付けシステムを用いて可変的に配向されて、前立腺の異なる空間の位置を標的とすることができる。特定の実施形態では、解剖学的検出システム誘導前立腺処置デバイス、具体的には角度方向付けシステムは、収束点と共に、器具の遠位端または先端の三次元での位置を指示し、対象に最も近い端が遠位端である。
【００３１】
特定の実施形態では、骨盤領域の磁気共鳴画像が、矢状方向の平面で獲得され、所定の位置でのデバイスによる骨盤の可視化を可能にする。デバイスでＭＲＩ可視参照点を用いて、対象に対するデバイスの正確な位置を決定し、例えばデバイスの垂直面および水平面が位置付けられる。デバイスに対する水平面および垂直面の両方の前立腺の画像を調べることによって、生検などの処置のために疑わしい前立腺組織の領域を特定できる。これらの領域の位置はロックされ、標的組織の中心と器具の中心軸との間の垂直および水平の両方の角度が測定されるか、かつ／または記録される。これらの角度は、収束点を通して器具角度方向付けシステムへ変換される。このようにして、器具角度方向付けシステムを使用して、ＭＲＩ画像で特定した前立腺内の正確な位置に生検針を誘導できる。
【００３２】
特定の実施形態では、角度方向付けシステムは、遠位端の侵入深さまたは器具の先端を指示する。特定の実施形態では、これは、器具のシャフト上などの深さの指標を有する器具を用いて達成される。別の方法として、または同時に、全体のデバイスを解剖学的検出システムによってリアルタイムでモニターして、侵入、挿入またはそれらの組み合わせの深さを決定できる。特定の実施形態では、角度方向付けシステムは、選択される深さに器具を保持する係止部材または他のデバイスを含む。特定の実施形態では、器具の側面が標的組織内にあるように、器具が標的組織に通され得る。これは、側壁のアクセスまたはデジタルカメラを有する針に特に有用であり得る。
【００３３】
特定の実施形態では、解剖学的検出システム誘導前立腺処置デバイスは、器具ガイドを含む。特定の実施形態では、器具ガイドは実質的に円筒状または卵形である。ファセット化された、例えば四角または六角形などの他の形状が、本開示の範囲から逸脱することなく考慮される。特定の実施形態では、器具ガイドが、球状ターゲティングボールの遠位側からなど、収束点から遠位に伸びる。特定の実施形態では、器具ガイドが、球状ターゲティングボールの近位側からなど、収束点の近位側から伸びる。特定の実施形態では、器具ガイドは調節可能であり、前立腺に隣接した直腸の外壁に対して位置づけられ得る。実施形態では、器具ガイドは、生検針などの器具がスライドするか、またはデバイスを通ることができるようにする。特定の実施形態では、球状ターゲティングボールの回転が器具ガイドを方向付けるように、器具ガイドは球状ターゲティングボールに連結され、球状ターゲティングボールから遠位に伸びる。特定の実施形態では、例えば遠位の伸張に加えて、器具ガイドは球状ターゲティングボールの近位側から伸びる。実施形態では、器具ガイドの遠位端は、解剖学的検出システムで得られた画像内の器具ガイドの遠位端の位置を示すのに使用できる解剖学的検出システム可視マーカーを含む。この特徴は、システム位置合わせおよびターゲティング中の基準マーカーとして使用でき、例えばイメージングソフトウェアを用いて、この特徴のデバイスの位置を使用して、患者、およびデバイスが使用される解剖学的検出システムの１つ以上に対する三次元などの多次元でのデバイスの位置を定めることができる。
【００３４】
特定の実施形態では、器具角度方向付けシステムは、固定配列器具角度方向付けシステムを含む。特定の実施形態では、固定配列器具角度方向付けシステムは、近位端近くの近位のハウジング内に配置したグリッドアレイプレートを含む。実施形態では、グリッドアレイプレートは、チャンネル軸が収束点へ収束するように配向されている、それぞれチャンネル軸を有する複数の器具アクセスチャンネルを有する。このようにして、アクセスチャンネルの１つに設置した器具が、収束点に向けられる。特定の実施形態では、固定配列器具角度方向付けシステムは、曲線状固定配列器具角度方向付けシステムを含む。特定の実施形態では、曲線状固定配列器具角度方向付けシステムは、凸状の近位の表面を有する曲線状グリッドアレイプレートを含む。別の方法として、曲線状固定配列器具角度方向付けシステムは、凹状の近位の表面を有する曲線状グリッドアレイプレートを含む。曲線状固定配列器具角度方向付けシステムの遠位の表面は、凸状、凹状または平坦であり得る。このグリッドアレイプレートは、グリッドアレイプレートの近位の表面が外側デバイスからアクセス可能であるように、開いた近位のハウジング部の近位端内に位置している。上述したように、すべてのアクセスチャンネルの軸が遠位に収束点にまとまるように配向された、生検針アクセスチャンネルなどの複数の定期的に間隔を空けた器具アクセスチャンネルによって、グリッドアレイプレートに穴が開けられている。当然ながら、固定したアレイにおける器具のアクセスチャンネルの数および配置は、それらに通されるデバイスに従って変更し得る。図１６は、グリッドパターンにおいて１７７個の器具アクセスチャンネルまたは開口を有する一実施形態を示す。望ましい場合、器具アクセスチャンネルは、一連の同心円または他のパターンで配向し得る。異なる実施形態は、約１００〜約２００個の器具アクセスチャンネル、約１５０〜約２００個の器具アクセスチャンネル、約１７５〜約２００個の器具アクセスチャンネル、約１５０〜約２５０個の器具アクセスチャンネル、約２００〜約４００個の器具アクセスチャンネル、約２００〜約３００個の器具アクセスチャンネル、約２００〜約２５０個の器具アクセスチャンネル、約３００〜約４００個の器具アクセスチャンネル、約３００〜約３５０個の器具アクセスチャンネル、および他の範囲を有するアレイを必要に応じて含み得る。実施形態では、アクセスチャンネルの間隔は、デバイスの縦軸から測定される、約１．０、１．１、１．２、１．３、１．４、１．５、１．６、１．７、１．８、１．９。２．０、２．１、２．２、２．３、２．４、２．５、２．６、２．７、２．８、２．９、３．０、３．１、３．２、３．３、３．４、３．５、３．６、３．７、３．８、３．９、４．０、４．１、４．２、４．３、４．４、４．５、４．６、４．７、４．８、４．９、５．０°、それらのいずれの分数、それらのいずれのサブセットおよび範囲などの約１°〜約５°である。実施形態では、器具アクセスチャンネルの形状は、実質的に円筒状または卵形であり、生検針などの器具と比較してわずかに大きい。本開示の範囲から逸脱することなく、ファセット化された、例えば四角または六角形などの他の形状が考慮される。グリッドアレイプレートは、回転可能なグリッドプレートカバーも有し得る。一部の実施形態では、回転可能なグリッドプレートカバーは、アクセスチャンネルのサブセットへのアクセスを可能にするパイ形状の切り抜きを有する。回転可能なグリッドプレートカバーは、ブッシングまたは軸受の周囲で、グリッドアレイプレートの中心で、例えばグリッドプレートカバーハンドルを用いて、手動で回転し得る。別の方法として、該グリッドプレートカバーは、近位のハウジング部の周りに位置した溝において回転し得る。特定の実施形態では、パイ形状の部分の切り抜きは、約１８０°〜約３０°の間である。実施形態では、ブッシング上またはその周りなどのグリッドアレイプレートの中心を、解剖学的検出システムで得られた画像内のグリッドアレイプレートの中心の位置を示すのに使用できる解剖学的検出システム可視マーカーで印を付け得る。この特徴は、システム位置合わせ中の基準マーカーおよびターゲティングとして使用でき、例えばイメージングソフトウェアを用いて、デバイスのこの特徴の位置を使用して、患者、およびデバイスが使用される解剖学的検出システムの１つ以上に対する三次元などの多次元でのデバイスの位置を定めることができる。
【００３５】
開示されるデバイスは、１つの画像診断法を別のものと合わせる必要がないように、前立腺と同時に撮像されるように設計されている。すなわち、患者は、直腸の所定位置に固定されたデバイスでスキャンされ、デバイスは、イメージングおよび生検処置のすべての間、固定されている。得られた画像を、視覚的に、またはコンピュータ誘導で調べることによって、処置を行う医師などの使用者が、標的（同じ画像で可視できる）と最もよく整列した１つまたは複数のチャンネルを選択し得、標的の前縁に器具をつけるのに必要な器具の深さを計算し得る。特定の実施形態では、適切にプログラム化したコンピュータを使用して、使用するチャンネル、および器具が挿入されて処置を行うのに必要とする深さを決定する。例えば、放射線科医は、この標準ソフトウェアを用いる様式において生検のための針挿入の深さを計算するのに慣れており、生検針は、一般的に、このプロセスを促進するために、シャフト上に１ｃｍのマーキングを備えている。
【００３６】
代替の実施形態では、器具角度方向付けシステムは、連続的に可変の座標器具角度方向付けシステムを含む。特定の実施形態では、連続的に可変の座標器具角度方向付けシステムは、デカルト座標器具角度方向付けシステムを含む。特定の実施形態では、連続的に可変の座標器具角度方向付けシステムは、円筒状座標器具角度方向付けシステムを含む。
【００３７】
特定の実施形態では、連続的に可変の座標器具角度方向付けシステムは、ハウジングの近位端に位置した割り出しキャリッジを含む。実施形態では、割り出しキャリッジは、直線状レールアセンブリに沿って移動するように抑制されている。実施形態では、直線状レールアセンブリは、それ自体割り出しキャリッジ方向に対して垂直に、例えば直線状の溝に沿って移動するように抑制されている。これらの特徴の組み合わせは、使用者が器具を望ましい角度に向けることができるようにする２軸直線状ガイドシステムを効果的に生じる。特定の実施形態では、器具ガイドが、収束点から割り出しキャリッジまで近位に伸びる。この器具角度方向付けシステムは、例えば段階的マーキングのセットを用いて、キャリッジをデカルト「ＸＹ」座標に位置付けることによって、使用者が針ガイドをいずれの望ましい軌道に沿って向けることができるようにする。特定の実施形態では、割り出しキャリッジは、その中心にピボット軸受を含み、器具ガイドが、収束点からピボット軸受まで伸びる。特定の実施形態では、ハウジングの近位端にて、器具ガイドが、収束点から、例えば球状ターゲティングボールから、割り出しキャリッジ内に収容されるピボット軸受を通して近位に伸びる。この器具角度方向付けシステムの利点は、それが無限に調節可能であることである。特定の実施形態では、器具ガイドは調節可能であり、前立腺の外壁に対して位置づけることができ、解剖学的検出システムによって見ることができる。開示されるデバイスは、１つの画像診断法を別のものと合わせる必要がないように、解剖学的検出システムによって前立腺と同時に結像されるように設計されている。すなわち、患者は、直腸の所定位置に固定されたデバイスでスキャンされ、デバイスは、イメージングおよび生検処置のすべての間、固定されている。
【００３８】
特定の実施形態では、連続的に可変の円筒状座標器具角度方向付けシステムは、近位のハウジング部内に回転可能に配置された円形のプレートを含む。実施形態では、円形のプレートは、その中心から、および切り抜きガイド内に摺動自在に配置された割り出しキャリッジから半径方向に伸びる切り抜きガイドを含み、器具ガイドが、収束点から割り出しキャリッジまで近位に伸びる。特定の実施形態では、割り出しキャリッジが、ピボット軸受を含み、ガイドが収束点からピボット軸受まで伸びる。特定の実施形態では、連続的に可変の円筒状座標器具角度方向付けシステムは、例えば極座標を特定するための、半径方向の位置および角度位置を表す段階的マーキングを含む。特定の実施形態では、器具ガイドは、切り抜きを使用して、デバイスの縦軸に対する器具の特定の角度を選択できるように、切り抜きガイド内に摺動自在に配置された平行移動するピボット軸受を通る。半径方向の位置および角度位置を表す段階的マーキングを使用して、器具の軌道が望ましい標的組織を交差するように、収束点に対する器具ガイドの近位端を位置づける極座標のセットを特定する。この針生検インデックス化システムの利点は、それが無限に調節可能であることである。特定の実施形態では、器具ガイドは調節可能であり、前立腺の外壁に対して位置づけることができ、解剖学的検出システムで見ることができる。開示されるデバイスは、１つの画像診断法を別のものと合わせる必要がないように、解剖学的検出システムによって前立腺と同時に結像されるように設計されている。すなわち、患者は、直腸の所定位置に固定されたデバイスでスキャンされ、デバイスは、イメージングおよび生検処置のすべての間、固定されている。
【００３９】
実施形態では、開示されるデバイスに使用される器具は、は生検針であり、プローブ、センサシステム（例えば超音波、カメラ、または当分野で既知の他のセンサ）、処置デバイス（例えばレーザーアブレーションデバイスなどの切除デバイス）、治療器具システム、または化学物質配置デバイス。特定の実施形態では、化学物質配置デバイスは、取り外し可能なマーカー、染料／造影剤、薬、または取り外し可能ではないマーカーを含む。特定の実施形態では、解剖学的検出システム誘導前立腺処置デバイスは、デバイスに対して解剖学的検出システムに対してデバイスを位置付けるための解剖学的検出システムで検出可能な化学物質の１点以上を含む。特定の実施形態では、解剖学的検出システムで検出可能な化学物質としては、硫酸バリウムおよび／または二酸化チタンで任意選択的にドープしたプラスチック（ポリカーボネート、ＡＢＳ／ポリカーボネートブレンド、ポリエステル、またはナイロンなど）；金属（金、タンタル、プラチナ、タングステン、チタン、コバルト−クロム、ステンレス鋼板、鉄−クロム-ニッケル、ジルコニウム、およびそれらの合金など）；液体造影剤；水；ヒドロゲル；細線ウィービングまたはパターニング；またはそれらの組み合わせの１つ以上が挙げられる。特定の実施形態では、解剖学的検出システムで検出可能な化学物質の１点以上が器具ガイドの遠位端に位置している。特定の実施形態では、解剖学的検出システムで検出可能な化学物質の１点以上が収束点に位置する。特定の実施形態では、解剖学的検出システムで検出可能な化学物質の１点以上が器具角度方向付けシステムの中心に位置する。特定の実施形態では、解剖学的検出システムで検出可能な化学物質の１点以上が、器具角度方向付けシステム内の針ガイド端、球状ターゲティングボール、および中心ブッシングまたは軸受の１つ以上に位置している。
【００４０】
特定の実施形態では、解剖学的検出システム誘導前立腺生検は、１つ以上のＭＲＩコイルを含む。前立腺に近接してＭＲＩコイルを含むことで、得られたデータの品質、それ故に前立腺およびそれに近い体の領域のＭＲＩ画像の品質が大きく増加する。ＭＲＩコイルは、デバイス内またはデバイスの外側の様々な場所に設置し得る。特定の実施形態では、デバイスは、ハウジングの遠位端内に配置した直腸内ＭＲＩコイルを含む。この配置は、コイルを前立腺および／またはその周囲の組織と密接に接触させる。特定の実施形態では、デバイスは、ハウジングの近位の部分に配置したＭＲＩコイルを含む。特定の実施形態では、デバイスは、遠位のハウジング部および中間ハウジング部に及ぶＭＲＩコイルを含む。特定の実施形態では、デバイスは、中間ハウジング部内に配置したＭＲＩコイルを含む。
【００４１】
最適な多変数イメージングのための直腸内ＭＲＩコイルと、ＭＲＩターゲットとされた生検のためのマルチチャンネルアレイとを組み合わせることによって、本開示は、２つの別個の不愉快な処置を単一の統合された処置に合わせる利点をもたらす。これは、生検処置の便宜および効率の両方を増加させる一方で、コストおよび負担を低下させる。現在の調査時間は、大体４５〜６０分（診断ＭＲＩ）に加えて４５〜６０分（インボア生検）または３０分（融合生検）である。開示されるデバイスおよび付随する方法は、典型的には、調査時間を合計約６０分（イメージングで４５分、生検で１５分）に減少させる。加えて、マルチチャンネルアクセスは、最大のサンプリング柔軟性を可能にする。例えば、操作者は、ターゲットのみ、テンプレート化した組織的な１２個のコア位置のみ、または両方を生検し得る。画像が針の配置後に迅速に得ることができ、針が標的を横断したことを確認できる。針の位置付けが次善である場合、隣接したチャンネルから直ちに追加のサンプルを採取できる。
【００４２】
実施形態では、ＭＲＩコイルは、遠位のハウジング部内に配置したＭＲＩコイルを含む。実施形態では、ＭＲＩコイルは、ハウジングの近位端の外表面に配置したＭＲＩコイルを含む。実施形態では、ＭＲＩコイルは、遠位のハウジング部および中間ハウジング部を横断するＭＲＩコイルを含む。
【００４３】
実施形態では、ＭＲＩコイルは、ループアンテナを含む。実施形態では、ＭＲＩコイルは、バタフライアンテナを含む。実施形態では、ＭＲＩコイルは、ループアンテナとバタフライアンテナとを含み、ここで、ループアンテナおよびバタフライアンテナが、位相機によって９０°位相がずれて駆動されて、環状に分極した磁場を生じる。したがって、一部の実施形態では、デバイスおよび／またはシステムは、位相機を含む。例として、直腸内コイルを使用して、前立腺のＭＲＩ画像における信号とノイズとの比を改善する。ヒト対象で使用される典型的なＭＲＩ装置は、一般に約１．５〜３Ｔの磁場強度を有する場Ｂ０を生じる。場Ｂ０がｚ軸および人体の長さに大体平行であり、ｙ軸が垂直の軸であり、ｘ軸が人体に垂直な水平軸であると想像した場合、使用できる１つのアンテナは、位置付けるデバイスの方向がｙ軸における磁場を検出する単一ループである。別の方法として、バタフライ構成を有するアンテナは、ｘ軸において検出する。単一ループとバタフライアンテナとの組み合わせを用いて、これらの２つのアンテナによって検出される信号を、それらの間の９０°位相シフトと組み合わせる。これによって、アンテナがｘおよびｙ軸の両方において信号を検出できるようになる。９０°位相シフトは、受動部品から構成され、信号が合わせられて、例えばおよそ２の平方根で信号対ノイズを増加させる。典型的な９０°位相シフト回路を図３０に示す。実施形態では、イメージングコイルは、ループアンテナと、整合部品と、信号線とを含む。実施形態では、イメージングコイルは、バタフライアンテナと、整合部品と、信号線とを含む。典型的なマッチング回路および部品を図２９に示す。実施形態では、イメージングコイルは、ループアンテナと、整合部品と、信号線とを含み、バタフライアンテナ、整合部品、および信号線の間に空間が設けられている。これらのデュアルアンテナは、位相機での９０°の位相のずれで駆動される。実施形態では、この複合イメージングコイルは、電力を管理し、ループアンテナおよびバタフライアンテナからの信号を合わせるパワースプリッター／結合器をさらに含む。典型的なパワースプリッター結合器を図３１に示す。実施形態では、開示されるコイルは、３ＴのＭＲＩ装置で、１２３．２５８ＭＨｚで信号を受け取る。実施形態では、アンテナは、差動入力によって駆動される。実施形態では、アンテナは、シングルエンド入力によって駆動される。
【００４４】
実施形態では、解剖学的検出システム誘導前立腺処置デバイスは、遠位のハウジング部内のイメージングコイルから中間ハウジング部を通じて近位のハウジング部まで近位に走っており、インターフェースボードに連結されているフレキシブル回路を含む。インターフェースボードは、スリーブ上の相補的なボードに係合可能である。フレキシブル回路の材料は、中間ハウジング部での構造を通るほど十分に薄いように選択される。実施形態では、フレキシブル回路は、ポリマー基板上の薄い金属片を含む。特定の実施形態では、金属は銅を含み、基板はポリイミドを含む。
【００４５】
実施形態では、デバイスおよびシステムが、専用ソフトウェアが要求される可能性が高くないように設計されている。放射線画像が定期的に保存され、画像保管および伝送システム（ＰＡＣＳ）で見られる。これらが、矢状方向および斜めの軸面における必要な精密な角度測定の計算（多平面再構築およびゴニオメーターツール）および必要な針挿入深さの計算（直線距離測定ツール）を可能にすることから、供給業者に関係なく、標準のＰＡＣＳツールが生検計画に十分なものであるべきである。これらは、画像誘導生検を行ういずれの放射線科医に既によく知られている所定の三次元タスクである。
【００４６】
実施形態では、開示されるデバイスは、前立腺生検を単一の処置に減少させ、疑わしい組織のターゲットとされた収集を可能にする。実施形態では、開示されるデバイスは、１つの画像診断法を別のものと合わせる必要がないように、癌組織領域と同時にＭＲＩで結像されるように設計されている。
【００４７】
開示されるデバイスを含むシステムが考えられる。実施形態では、システムは、医療処置を行う器具を含む。実施形態では、器具は生検針、プローブ、センサシステム、処置デバイス、治療の器具システム、または化学物質配置デバイスである。実施形態では、化学物質配置デバイスは、取り外し可能なマーカー、染料／造影剤、薬、または取り外し可能ではないマーカーを含む。実施形態では、器具は、解剖学的検出システムの検出可能なマーカーを遠位端に含む。実施形態では、器具は、深度表示器を含む。実施形態では、システムは、解剖学的検出システムに対して固定されたデバイスを保持するように構成されたクランプをさらに含む。
【００４８】
対象の前立腺で解剖学的検出システム誘導処置を行う方法が開示される。特定の実施形態では、該方法は、開示される解剖学的検出システム誘導前立腺処置デバイスの遠位端を対象の前立腺に近接した対象の直腸内へ導入するステップと；前立腺を含む対象の解剖学的特徴および解剖学的検出システム誘導前立腺処置デバイスを用いる解剖学的検出システムのデータを得るステップと；デバイスおよび前立腺の位置を確立するステップと；処置のための前立腺上または前立腺内の組織の三次元空間における位置を決定するステップと；三次元空間における位置を器具角度方向付けシステムへ移すステップと；器具角度方向付けシステムを用いて器具を前立腺の部位へ誘導し、それによって処置を行うステップと；を含む。特定の実施形態では、処置は生検であり、器具は生検針であり、前立腺上または前立腺内の組織が、少なくとも一部はイメージングデバイスで得られたデータによって生検のために選択され、該方法は、生検試料を得るステップを含む。特定の実施形態では、器具は、生検針、プローブ、センサシステム、処置デバイス、治療の器具システム、または化学物質配置デバイスを含む。特定の実施形態では、化学物質配置デバイスは、取り外し可能なマーカー、染料／造影剤、薬、または取り外し可能ではないマーカーを含み、処置は、前立腺上または前立腺内の組織に染料／造影剤、薬、または取り外し可能ではないマーカーを配置することを含む。特定の実施形態では、器具は、解剖学的検出システムの検出可能なマーカーを遠位端に含む。特定の実施形態では、器具は、深度表示器を含む。特定の実施形態では、該方法は、解剖学的検出システムに対して固定されたデバイスを保持するステップを含む。特定の実施形態では、該方法は、処置中に解剖学的検出システムで画像を得るステップを含む。実施形態では、該方法は、本開示に開示されているものなどの解剖学的検出システム誘導前立腺処置デバイスの遠位端を対象の前立腺に近接した対象の直腸内に導入するステップと、対象内のデバイスの画像を得るステップと、を含む。特定の実施形態では、デバイスおよび前立腺の位置が確立される。実施形態では、該方法は、処置のための前立腺上または前立腺内の組織の三次元空間における位置を決定するステップを含む。実施形態では、該方法は、前記組織の三次元空間における位置を器具角度方向付けシステムへ移すステップを含む。実施形態では、該方法は、器具角度方向付けシステムを用いて器具を前立腺の部位へ誘導し、それによって処置を行うステップを含む。
【００４９】
実施形態では、高品質の直腸内画像が、診断および生検の両方のために得られる。現在、２段階処置では、直接解剖学的検出システム誘導生検（直腸内のイメージングコイルが存在しない）中に得られた画像が、前述の診断の直腸内ＭＲＩ中に得られたものより品質が低い。結果として、標的が良好に視覚化されない可能性があり、操作者が、尿道、精丘、または良性の前立腺肥大の独特の小節などのより明確に可視化した解剖学的ランドマークとの相関に基づいて標的位置を推定することを強いられ得る。
【００５０】
開示されるデバイスの態様は、画像取得および生検中の標的組織の移動を最小限にするものである。開示されるデバイスは処置中に直腸に固定されたままであることから、前立腺変形および関連した標的移動のリスクを最小限にする。また、これは、このコイル周囲の肛門直腸収縮が、直腸内ＭＲ画像の品質を低下させるモーションアーチファクトを生じ得ることから、業界標準のバルーン拡張可能な直腸内コイルと比較して画像品質を改善する。
【００５１】
特定の実施形態では、処置は生検であり、器具は生検針であり、前立腺上または前立腺内の組織が、少なくとも一部はイメージングデバイスで得られた画像によって生検のために選択され、該方法は、生検試料を得るステップをさらに含む。特定の実施形態では、器具はプローブ、または化学物質配置デバイスである。特定の実施形態では、化学物質配置デバイスは、取り外し可能なマーカー、染料／造影剤、薬、または取り外し可能ではないマーカーを含み、処置は、前立腺上または前立腺内の組織に染料／造影剤、薬、または取り外し可能ではないマーカーを配置することを含む。特定の実施形態では、器具は、解剖学的検出システムの検出可能なマーカーを遠位端に含む。特定の実施形態では、器具は、深度表示器を含む。特定の実施形態では、該方法は、解剖学的検出システムに対して固定されたデバイスを保持するステップを含む。特定の実施形態では、該方法は、処置中に解剖学的検出システムで画像を得るステップを含む。
【００５２】
実施形態では、臨床医は、前立腺のテンプレート化した組織的サンプリングおよび／または標的生検サンプリングのいずれか（または両方）を行う選択肢を有する。加えて、器具角度方向付けシステムが曲線状アレイとして具体化されている場合、アレイの湾曲が前立腺の形状により良好に一致し、それによって平面のテンプレートを用いて達成可能なものよりも十分な範囲の可能性のある標的部位をもたらす。デバイスが、使用中に所定位置に固定される（例えば、所定の位置に締め付けられる）ように設計されていることから、デバイスの遠位端が処置全体において直腸に固定されたままである。これは、患者画像の再取得を必要とする生検針のターゲティング中の前立腺変形の問題をなくす。
【００５３】
実施形態では、開示されるデバイス、システム、および方法の独特な特徴の１つが、ハウジングの要素またはそれに含まれる要素を含むデバイスの態様が使い捨てである一方で、他の構成要素が再使用できることである。例として、解剖学的検出システム誘導前立腺処置デバイスが使い捨てである一方で、クランプ、圧迫環および電子的な特徴などの下流の要素が再使用できる。解剖学的検出システム誘導前立腺処置デバイスのハウジングと圧迫環との間の連結を含むことによって、例えば、解剖学的検出システム誘導前立腺処置デバイスなどの対象と接触するシステムの部品が使用後に配置され得る。実施形態では、解剖学的検出システム誘導前立腺処置デバイスが高価でない材料から製造される。デバイスの電子的な特徴（フレキシブル回路またはアンテナを含まない）などの対象と接触しないシステムの構成要素を保持でき、その後の処置または同じまたは異なる対象で使用し得る。したがって、これらのシステムの下流の構成要素は、使い捨てを意図されていないことから、同じ低コストの材料で製造される必要はない。
【００５４】
図１〜図３は、本開示に従う、固定した曲線状配列の器具角度方向付けシステムに基づく開示される解剖学的検出システム誘導前立腺処置デバイスの実施形態を示す。図１は、固定した曲線状配列の器具角度方向付けシステムを用いる典型的な解剖学的検出システム誘導前立腺処置デバイス１００の断面図を示す。図２は、典型的な解剖学的検出システム誘導前立腺処置デバイス１００の近位面からの透視図を示す。図３は、解剖学的検出システム誘導前立腺処置デバイス１００の遠位面からの透視図を示す。デバイス１００は、３つの部分、すなわち、近位のハウジング部１１５と、中間ハウジング部１２０と、遠位のハウジング部１２５とから構成されるハウジング１０２を含む。近位のハウジング部１１５および中間ハウジング部１２０は共通の縦軸に沿って中心に置かれている。遠位のハウジング部１２５の部分が、この軸から上方に曲げられている。圧迫スリーブ１１０が、近位のハウジング部１１５の外側表面の周囲に適合し、デバイス１００の下面上のクランプハンドル１０５に連結されている。下記の図２０〜図２３に示されるように、圧迫スリーブ１１０は、例えばデバイス内またはデバイス１００の外表面上のＭＲＩ画像コイル（図示せず）に電力を供給するために、デバイス１００の外側表面上の接続と対になる電源接続を収納し得る。クランプハンドル１０５を使用して、例えば、クランプハンドル１０５をテーブルに取り付けられるクランプ台（図示せず）に締め付けることによって、デバイス１００を定位置に固定する。近位のハウジング部１１５が中間ハウジング部から近位に伸びる場合、固定した曲線状配列の器具角度方向付けシステムを調整するように拡大する。
【００５５】
凸状の近位の表面および凹状の遠位の表面を有する曲線状グリッドアレイプレート１５０が、凸状の近位の表面が外側のデバイス１００からアクセス可能であるように近位のハウジング部の近位端１１５内に位置している。曲線状グリッドアレイプレート１５０は、複数の生検針アクセスチャンネル１５５で穴を開けられており、そのそれぞれが円筒形状であり、すべてのアクセスチャンネル１５５の軸が共通の収束点位置２０８へ遠位に向かうように配向している。グリッドアレイプレート１５０は、近位から遠位へのアプローチからアクセスチャンネル１５５のサブセットへのアクセスを可能にするパイ形状の切り抜き１６５を有する回転可能なグリッドプレートカバー１６０も有し得る（図２参照）。回転可能なグリッドプレートカバー１６０は、グリッドアレイプレート１５０の中心にてブッシング１７５の周囲でグリッドプレートカバーハンドル１７０を用いて手動で回転し得る。グリッドアレイプレート１５０およびそのアクセスチャンネル１５５のセットは、解剖学的検出システム誘導前立腺処置デバイス１００のための器具角度方向付けシステムの一部を含む。
【００５６】
解剖学的検出システム誘導前立腺処置デバイス１００の中間ハウジング部１２０は、窪んでいるくびれを含み、その中に球状ターゲティングボール２０５が器具角度方向付けシステムの一部として収容される。窪んでいるくびれの内側の表面が球状軸受表面２１５を有し、それに対して球状ターゲティングボール２０５は、収束点位置２０８を中心として回転し得る。実施形態では、球状軸受表面２１５は、ＭＲＩ画像化中に画像コントラストを提供する解剖学的検出システム可視剤区画２２０、例えば水／ヒドロゲルなどの造影剤を含み得る。この特徴は、システム位置合わせおよび生検ターゲティング中の基準マーカーとして使用でき、例えばイメージングソフトウェアを用いて、デバイス１００のこの特徴の位置を使用して、患者、およびデバイス１００が使用されるＭＲＩシステムの１つ以上に対して三次元などの多次元でのデバイスの位置を定めることができる。球状ターゲティングボール２０５は、その近位側に円錐状切り抜き２１０と、その遠位側に固定長の針ガイド１３０とを有する。実施形態では、針ガイド１３０の遠位端１３５は、ＭＲＩ画像化中にその位置でコントラストを生じる解剖学的検出システム可視剤、例えば水またはヒドロゲルなどの造影剤を含み得る。造影剤区画２２０の解剖学的検出システム可視剤と同様に、針ガイド１３０の遠位端１３５の解剖学的検出システム可視剤は、システム位置合わせおよび生検ターゲティング中の基準マーカーとして使用でき、例えばイメージングソフトウェアを用いて、デバイス１００のこの特徴の位置を使用して、三次元などの多次元での患者、およびデバイス１００が使用されるＭＲＩシステムの１つ以上に対して針ガイド１３０の遠位端１３５の位置を定めることができる。
【００５７】
図１は、曲線状グリッドアレイプレート１５０のアクセスチャンネル１５５の１つを通過し、球状ターゲティングボール２０５の円錐状切り抜き２１０に入り、固定長の針ガイド１３０を通じて存在する生検針１４５も表す。生検針１４５が中心のアクセスチャンネル１５５を通過することが示されているが、針はいずれのアクセスチャンネル１５５を通ることが考慮される。一緒に、曲線状グリッドアレイプレート１５０のアクセスチャンネル１５５と、固定長針ガイド１３０が取り付けられた回転可能な球状ターゲティングボール２０５とによって、生検針１４５が生検ターゲティングの別々の予測可能な軌道に沿うように向けられる
【００５８】
解剖学的検出システム誘導前立腺処置デバイス１００の遠位のハウジング部１２５の部分は、近位のハウジング部１１５および中間ハウジング部１２０の部分の中心線から上方に曲げられている。実施形態では、この角度は、約１０〜約４５°であり得る。図１の遠位のハウジング部１２５の断面図は、遠位端コイル区画３０５を示し、その内部区画内には、イメージングコイルが、コイルの周辺のＭＲＩ画像を改善するために設置され得る。一部の実施形態では、近位のコイル３１０は、ＭＲＩ画像品質を改善するために、近位のハウジング部１１５の外表面にも取り付けられ得る。図３で最もよく見られるように、遠位のハウジング部１２５の部分の下面に、固定長の針ガイド１３０および生検針１４５が配置される針アクセス切り抜き１４０がある。図３に示されるように、生検針１４５が、針アクセス切り抜き１４０にて固定長の針ガイド１３０から出るのを見ることができる。
【００５９】
図４〜図６は、図１〜図３に表したデバイスに示されるグリッドアレイテンプレートではなく、連続的に可変のデカルト座標器具角度方向付けシステムに基づくターゲティングスキームを用いる前立腺処理デバイス４００の代替の実施形態を示す。図４は、連続的に可変のデカルト座標器具角度方向付けシステムに基づく典型的な解剖学的検出システム誘導前立腺処置デバイス４００の断面図を示す。図５は、典型的な解剖学的検出システム誘導前立腺処置デバイス４００の近位面からの透視図を示す。図６は、典型的な解剖学的検出システム誘導前立腺処置デバイス４００の遠位面からの透視図を示す。図１〜図３に示す実施形態と同様に、デバイス４００は、３つの部分、すなわち、近位のハウジング部４１５と、中間ハウジング部４２０と、遠位のハウジング部４２５とから構成されるハウジング４０２を含む。近位のハウジング部４１５および中間ハウジング部４２０の部分が、共通の軸に沿って中心にあり、遠位のハウジング部４２５の部分が、この軸から上方に曲げられている。実施形態では、圧迫スリーブが示されておらず、クランプハンドル４０５がデバイス４００の下面に連結されている。このクランプハンドル４０５を使用して、例えばクランプハンドル４０５をテーブルに取り付けられるクランプ台（図示せず）に締め付けることによって、デバイス４００を定位置に固定し得る。図１〜図３に示す実施形態に対して、近位のハウジング部４１５は、近位に広がることから、円形から四角断面まで移行する。この四角断面は、連続的に可変のデカルト座標器具角度方向付けシステムを収納するように構成されている。
【００６０】
図５で最もよく示されているように、ハウジング４０２の近位端４１５に、針ガイド５０５が、直線状レールアセンブリ５２０に沿って移動するのが抑制されるキャリッジ５１０内に収容されるピボット軸受５１５を通る。直線状レールアセンブリ５２０は、直線状の溝５３０に沿ってキャリッジ５１０の方向と垂直に移動するのが抑制され、効果的に２軸直線状ガイドシステムを生じる。この器具角度方向付けシステムによって、使用者が、座標段階的マーキング５３５のセットを用いる要求されるデカルト「ＸＹ」にキャリッジ５１０を位置付けることによって、いずれの望ましい軌道に沿って、針ガイドを向けることができるようになる。
【００６１】
解剖学的検出システム誘導前立腺処置デバイス１００の中間ハウジング部４２０の部分は、球状ターゲティングボール２０５が器具角度方向付けシステムの一部として収容される窪んでいるくびれを含む。窪んでいるくびれの内側の表面が球状軸受表面２１５を有し、それに対して球状ターゲティングボール２０５は、収束点位置２０８を中心として回転し得る。実施形態では、球状軸受表面２１５は、解剖学的検出システム可視剤区画２２０を含み得る。本実施形態では、生検針１４５は、デバイスハウジングの十分な長さで伸び、中間ハウジング部でボール−生検針ターゲティングピボットアセンブリを通る針ガイド４０５を通じて移動する。
【００６２】
解剖学的検出システム誘導前立腺処置デバイス４００の遠位のハウジング部は、近位のハウジング部４１５および中間ハウジング部４２０の部分の中心線から上方に曲げられている。実施形態では、この角度は約１０〜約４５°であり得る。図４の遠位のハウジング部４２５の断面図は、遠位端コイル区画３０５を示し、その内部区画内に、イメージングコイルが、コイルの周辺のＭＲＩ画像を改善するために設置され得る。図６で最もよく見られるように、遠位のハウジング部４２５の部分の下面に、固定長の針ガイド４３０および生検針４４５が配置される針アクセス切り抜き４４０がある。図６に示されるように、針アクセス切り抜き４４０にて固定長の針ガイド４３０から生検針４４５が出るのを見ることができる。
【００６３】
図７〜図９は、図１〜図３に示すグリッドアレイテンプレートまたは図４〜図６に表されるデカルト座標システムではなく、連続的に可変の円筒状座標器具角度方向付けシステムに基づくターゲティングスキームを利用する前立腺処置デバイス４００の代替の実施形態を示す。図７は、連続的に可変の円筒状座標器具角度方向付けシステムに基づく典型的な解剖学的検出システム誘導前立腺処置デバイス７００の断面図を示す。図８は、解剖学的検出システム誘導前立腺処置デバイス４００の近位面からの透視図を示す。図９は、解剖学的検出システム誘導前立腺処置デバイス４００の遠位面からの透視図を示す。デバイス７００は、３つの部分、すなわち近位のハウジング部７１５と、中間ハウジング部７２０と、遠位のハウジング部７２５とから構成されるハウジング７０２を含む。近位のハウジング部７１５および中間ハウジング部７２０の部分が、共通の軸に沿って中心にあり、遠位のハウジング部７２５の部分が、この軸から上方に曲げられている。実施形態では、圧迫スリーブが示されておらず、クランプハンドル７０５がデバイス７００の下面に連結されている。このクランプハンドル７０５を使用して、例えばテーブルに取り付けられるクランプ台（図示せず）にクランプハンドル７０５を締め付けることによってデバイス７００を定位置に固定し得る。
【００６４】
図８で最もよく示されているように、デバイス７００の器具角度方向付けシステムは、近位のハウジング部内に回転可能に配置された円形のプレート８２５を含み、円形のプレート８２５は、その中心から半径方向に伸びる切り抜きガイド８２０を有する。針ガイド７０７は、切り抜きガイド８２０内に摺動自在に配置された、平行移動するピボット軸受８１５を通る。半径方向の位置８３０および角度位置５３５を表す段階的マーキングを使用して、生検針１４５が望ましい標的組織に軌道交差するように、収束点位置２０８に対して針ガイド７０７の近位端を位置づける極座標のセットを特定する。
【００６５】
解剖学的検出システム誘導前立腺処置デバイス７００の中間ハウジング部７２０の部分は、球状ターゲティングボール２０５が器具角度方向付けシステムの一部として収容される窪んでいるくびれを含む。窪んでいるくびれの内側の表面が球状軸受表面２１５を有し、それに対して球状ターゲティングボール２０５が、収束点位置２０８を中心として回転し得る。実施形態では、球状軸受表面２１５は、解剖学的検出システム可視剤区画２２０を含み得る。本実施形態では、生検針１４５は、デバイスハウジングの十分な長さを伸び、中間ハウジング部でボール-生検針ターゲティングピボットアセンブリを通る針ガイド７０７を通じて移動する。
【００６６】
解剖学的検出システム誘導前立腺処置デバイス７００の遠位のハウジング部７２５は、近位のハウジング部７１５および中間のハウジング部７２０の中心線から上方に曲げられている。実施形態では、この角度は約１０〜約４５°であり得る。図７の遠位のハウジング部７２５の断面図は、遠位端コイル区画３０５を示し、その内部区画に、イメージングコイルが、コイルの周辺のＭＲＩ画像を改善するために設置され得る。図９で最もよく見られるように、遠位のハウジング部７２５の部分の下面に、固定長の針ガイド４３０および生検針１４５が配置される針アクセス切り抜き７４０がある。図９に示されるように、針アクセス切り抜き４４０にて固定長の針ガイド７０７から、生検針１４５が出るのを見ることができる。
【００６７】
図１０は、遠位のハウジング部１２５のイメージングコイル１０００の配置を示す開示される解剖学的検出システム誘導前立腺処置デバイス１００の実施形態の一部透明な側面斜視図である。イメージングコイル１０００は、遠位のハウジング部１２５の区画３０５内に設置されるように構成されている。図１０に示されるように、デバイス１００対象の直腸内に設置される際に、イメージングコイル１０００が、直腸内に、前立腺に極めて接近して位置し、前立腺および周囲の組織のＭＲＩ画像の品質を改善する。また、この図には、球状ターゲティングボール２０５、生検針ガイド１３０および生検針１４５も示されている。生検針１４５が、前立腺に入るように表されている。
【００６８】
図１１は、デバイス１００の遠位のハウジング部１２５の近位端におけるイメージングコイル１１００の配置を示す開示される解剖学的検出システム誘導前立腺処置デバイス１００の実施形態の一部透明な側面斜視図である。図１１に示されるように、デバイス１００が対象の直腸内に設置される際に、イメージングコイル１１００が、直腸内に、前立腺に極めて接近して位置し、前立腺および周囲の組織のＭＲＩ画像の品質を改善する。また、この図には、球状ターゲティングボール２０５、生検針ガイド１３０および生検針１４５も示されている。生検針１４５が、前立腺に入るように表されている。
【００６９】
図１２は、デバイス１００の中間ハウジング部１２０および遠位のハウジング部１２５を横断するイメージングコイル１２００の配置を示す開示される解剖学的検出システム誘導前立腺処置デバイス１００の実施形態の一部透明な側面斜視図である。図１２に示されるようにデバイス１００が対象の直腸内に設置される際に、イメージングコイル１２００が、直腸内に、前立腺に極めて接近して位置し、前立腺および周囲の組織のＭＲＩ画像の品質を改善する。また、この図には、球状ターゲティングボール２０５、生検針ガイド１３０および生検針１４５も示されている。生検針１４５が、前立腺に入るように表されている。
【００７０】
本開示の態様は、開示されるデバイスを用いる解剖学的検出システム誘導前立腺生検に関する。本開示に開示されているように、開示されるデバイスは、患者の直腸に挿入され、クランプ−スタンドに固定されて、デバイスの移動を防ぎ得る。該方法の態様の詳細は、図１３〜図１６に記載されている。
【００７１】
図１３に示されるように、矢状方向の平面と垂直なＭＲＩデータが得られ、見られて、解剖学的検出システム誘導前立腺処置デバイスの３つの主要なターゲットが特定され、位置づけられる。３つの主要なターゲットは、針ガイド端、球状ターゲティングボール、およびグリッドプレート中心ブッシングである。これは、解剖学的検出システム誘導前立腺処置デバイスの水平面を特定する。図１４に表されているように、器具の水平面と垂直なＭＲＩデータが得られ、見られて、解剖学的検出システム誘導前立腺処置デバイスの３つの主要なターゲットが特定され、位置づけられる。再び、３つの主要なターゲットは、針ガイド端、球状ターゲティングボール、およびグリッドプレート中心ブッシングである。これは、解剖学的検出システム誘導前立腺処置デバイスの垂直面を特定する。器具の垂直面と平行なＭＲＩデータが収集され、見られる。ＭＲＩ画像スライスが、生検分析のために前立腺の疑わしい領域を位置付けるように通る。これらの領域の位置がロックされ、標的の中心と器具の中心軸との間の角度を測定するか、かつ／または記録する。１０°の角度が、標的と水平面との間で決定される。器具の水平面と平行なＭＲＩデータが収集され、見られる。ＭＲＩ画像スライスが、生検分析のために疑わしい前立腺の領域を位置づけるように通る。これらの領域の位置がロックされ、標的の中心と器具の中心軸との間の角度を測定するか、かつ／または記録する。７.５°の角度が、標的と垂直面との間で決定される。図１５に表されているように、上記のように得られた角度が、器具の中心軸を通じてグリッドプレートへ移動する。図１６に表されているように、原点に対する角度が、グリッドプレートの後ろに位置する。示される実施形態では、ガイドホールそれぞれの間の角度距離が２.５°である。水平面上の各角度が左右の移動を定める。垂直面上の各角度が、上下の移動を定める。したがって、略図に示されるように、針の標的が、中心原点より右への３つの穴および下への４つの穴である。示される実施形態では、角度を捕捉する際に、値が最も近い２.５°インクリメントに四捨五入してある。例えば、捕捉した読み取り値が８°である場合、７.５°に切り捨てる。読み取り値が１９°である場合、２０°に切り上げられる。
【００７２】
図１７は、対象の前立腺および腸の画像で重ね合わせた解剖学的検出システム誘導前立腺処置デバイスの概略側面図である。図示するように、デバイスは、挿入された際に、前立腺から短い距離に位置している。針アクセス切り抜きの除去は、生体構造が許す限り前立腺の近くにプローブがあることを例証する。
【００７３】
図１８は、様々な実施形態に従う、前立腺アクセス領域と、器具の動きの範囲を示す近位および遠位の円すいの交点との間の対応の上からの概略図である。図１８に示されるように、近位および遠位の円すいは、黒い四角で示される収束点で交差する。
【００７４】
図１９は、様々な実施形態に従う、対象の前立腺および腸の画像で重ね合わせた解剖学的検出システム誘導前立腺処置デバイスの一部の概略側面図である。この図で図示するように、解剖学的検出システムの検出可能なマーカーを使用して、対象の前立腺などの対象の解剖学的特徴に対するシステムの構成要素の位置を決定できる。
【００７５】
図２０は、様々な実施形態に従う、イメージングコイルのための電源連結を示すように示されている解剖学的検出システム誘導前立腺処置デバイスの透視図である。
【００７６】
図２１は、様々な実施形態に従う、イメージングコイルのための電源連結を示す近接図である。
【００７７】
図２２は、様々な実施形態に従う、イメージングコイルのための電源連結を示すように示されている解剖学的検出システム誘導前立腺処置デバイスのためのクランプ環の透視図である。
【００７８】
図２３は、様々な実施形態に従う、フレキシブル回路２７１５およびイメージングコイル２７０５を示す解剖学的検出システム誘導前立腺処置デバイス１００の透視図である。デバイス１００は、近位のハウジング部１１５と、中間ハウジング部１２０と、遠位のハウジング部１２５とを含む。圧迫スリーブ１１０は、近位のハウジング部１１５の外側表面の周囲に適合し、デバイス１００の下面上のクランプハンドル１０５に連結されている。圧迫スリーブ１１０接続および／または電子機器を収納し得（図２４〜図２６参照）、デバイス１００の外側表面上の接続と一致し得る。クランプハンドル１０５を使用して、例えば、テーブルに取り付けられるクランプ台（図示せず）にクランプハンドル１０５を締め付けることによって、デバイス１００を定位置に固定し得る。フレキシブル回路２７１５は、イメージングコイル２７０５から、遠位のハウジング部１２５から、中間ハウジング部１２０を通じて近位のハウジング部１１５へ近位に走っており、インターフェースボードに連結している。フレキシブル回路２７１５の材料は、中間ハウジング部１２０の構造を通るのに十分に薄いように選択される。実施形態では、フレキシブル回路２７１５は、ポリマー基板上の薄い金属片を含む。特定の実施形態では、金属は、銅を含み、基板はポリイミドを含む。
【００７９】
図２４は、様々な実施形態に従う、イメージングコイルの概略図である。図２４に示されるように、イメージングコイル２８００は、ループアンテナ２８０１と、整合部品２８０２と、信号線２８０３とを含む。ループアンテナ２８０１は、主にｙ軸の磁場を生じると想定され、場Ｂ０（磁場）は、ｚ軸および人体の長さに大体平行であり、ｙ軸は垂直の軸であり、ｘ軸は人体に垂直な水平軸である。アンテナは、対象の直腸に挿入されたｘ−ｚ平面に大体あると想定される。
【００８０】
図２５は、様々な実施形態に従う、イメージングコイルの概略図である。図２５に示されるように、イメージングコイル２９００は、バタフライアンテナ２９０１と、整合部品２９０２と、信号線２９０３とを含む。バタフライアンテナ２９０１は、主にｘ軸の磁場を生じると想定され、場Ｂ０（磁場）は、ｚ軸および人体の長さに大体平行であり、ｙ軸は垂直の軸であり、ｘ軸は人体に垂直な水平軸である。アンテナは、対象の直腸に挿入されたｘ-ｚ平面に大体あると想定される
【００８１】
図２６は、様々な実施形態に従う、選択された電子機器と共に連結した図２４および図２５のイメージングコイルから製造された、環状に分極したイメージング複合材コイル３０００の概略図である。図２６に示されるように、ループアンテナ２８０１、整合部品２８０２および信号線２８０３は、バタフライアンテナ２９０１、整合部品２９０２および信号線２９０３で間を空けられている。ループアンテナ２８０１は、主にｙ軸の磁場を生じ、場Ｂ０（磁場）は、ｚ軸および人体の長さに大体平行であり、ｙ軸は垂直の軸であり、ｘ軸は人体に垂直な水平軸である。バタフライアンテナ２９０１は、主にｘ軸の磁場を生じる。これらのデュアルアンテナが位相機３０１０での９０°の位相のずれで駆動されて、環状に分極した磁場を生じる。この構成のコイルを用いることで、単一アンテナ設計より、信号対ノイズが約２の平方根増加する。イメージング複合コイル３０００は、電力を管理し、ループアンテナ２８０１およびバタフライアンテナ２９０１からの信号を合わせるパワースプリッター／結合器３０１３をさらに含む。アンテナは、対象の直腸に挿入されたｘ−ｚ平面に大体あると想定される。
【００８２】
図２７および図２８は、特定の実施形態に従う、中間のおよび遠位のハウジング部の態様の詳細を示す。図２７は、様々な実施形態に従う解剖学的検出システム誘導前立腺処置デバイスの側断面図である。図２８は、様々な実施形態に従う、解剖学的検出システム誘導前立腺処置デバイスの側断面図である。図２７に示されるように、デバイス３１００は、近位のハウジング部３１１５と、中間ハウジング部３１２０と、遠位のハウジング部３１２５と、を含む。近位のハウジング部３１１５および中間ハウジング部１２０は共通の縦軸に沿って中心に置かれている。遠位のハウジング部３１２５の部分が、この軸から離れて、例えば共通の縦軸から約１０〜約６０°上方に曲げられている。遠位のハウジング部３１２５は、ＭＲＩ画像コイルを含むように構成されているサブハウジング３１４０を含み得る。遠位のハウジング部３１２５は、約０．５ｉｎ〜約１．５ｉｎである幅３１７５を有する。サブハウジングは、これよりわずかにより大きい幅３１７７を有する。中間ハウジング部３１２０が遠位のハウジング部３１２５および近位のハウジング部３１１５の両方から窪んでおり、例えば肛門外口が窪んでいるくびれ３１２０の周囲でしぼみ、デバイスを所定の位置に維持するか、かつ／または保持するのを助けるように、対象の肛門で保持されるように構成されている。中間ハウジング部３１２０の直径３１８０は約０．２５ｉｎ〜約１．０ｉｎの長さである。中間ハウジング部３１２０は約０．２５ｉｎ〜約１．０ｉｎの長さである長さ３１８５を有する。
【００８３】
図２８に示されるように、デバイス３１００は、近位のハウジング部３１１５と、中間ハウジング部３１２０と、遠位のハウジング部３１２５とを含む。近位のハウジング部３１１５および中間ハウジング部１２０は共通の縦軸に沿って中心に置かれている。遠位のハウジング部３１２５の部分が、この軸から離れて、例えば共通の縦軸から約１０〜約６０°離れて上方に曲げられている。遠位のハウジング部３１２５は、約０．５ｉｎ〜約１．５ｉｎである幅３１７５を有する。中間ハウジング部３１２０が両方遠位のハウジング部３１２５および近位のハウジング部３１１５の両方から窪んでおり、例えば肛門外口が窪んでいるくびれ３１２０の周囲でしぼみ、デバイスを所定の位置に維持するか、かつ／または保持するのを助けるように、対象の肛門で保持されるように構成されている。遠位のハウジング部は、内半径３１９５と、外半径と、中心線半径３１９７とを有する。中心線半径３１９７は約１．７５ｉｎ〜約２.２５ｉｎである。内半径３１９０は約１．５ｉｎ〜約１．９ｉｎである。外半径３１９５は約２.２５ｉｎ〜約２.７５ｉｎである。本図には、切り抜き３１４０も示されている。
【００８４】
図２９は、様々な実施形態に従う、入力信号線２８０３（ここでは、接地同軸ケーブル２８１０の一部として表される）とループアンテナ２８０１との間で使用される典型的なマッチング回路２８０２の概略図である。ここに図示されるマッチングネットワークは、３つのコンデンサ２８１１、２８１２、２８１３を使用して、電力伝達を最大化するために、駆動信号のインピーダンスをアンテナ２８０１のインピーダンスに一致させる。実施形態では、マッチング回路部品を、約５０Ωの信号インピーダンス与えるように特定し得る。他のトポロジーおよび部品を使用して、信号入力をアンテナに一致させることができることは電気分野の当業者によって理解される。例えば、インダクタおよびまたは抵抗を使用して、適したマッチング回路を構築できる。
【００８５】
図３０は、様々な実施形態に従う、位相機部品３０１０に使用され得る典型的な９０°位相シフト回路の概略図である。ノードＡ３０２０での信号入力が、９０°シフトされ、出力ノードＢ３０３０で現れる。ここに図示される位相機回路は、２つのインダクタ３０２１、３０２２と、３つのコンデンサ３０２３、３０２４、３０２５とを使用する。他のトポロジーおよび部品を使用して、開示されるシステム用の位相機回路を構築できることは、電気分野の当業者によって理解される。さらに、９０°位相機の部品は、操作の特定の周波数を与えるように選択され得る。実施形態では、位相機回路部品は、約５０Ωの信号インピーダンスを与えるように特定し得る。
【００８６】
図３１は、様々な実施形態に従う、典型的なパワースプリッター結合器回路の概略図である。ＲＦパワースプリッターとして、入力信号がノードＣ  ３０５０に加えられ、電力の半分がノードＤ  ３０６０で現れ、残りの半分がノードＥ  ３０７０で現れる。電力結合器として、ノードＤ  ３０６０およびノードＥ  ３０７０上にある相信号を合わせ、ノードＣ  ３０５０で出力する。ここで表される回路において、３つのコンデンサ３０５１、３０５２、３０５３と、２つのインダクタ３０５５、３０５６と、１つの抵抗３０５８とを使用して、パワースプリッター結合器を生じる。他のトポロジーおよび部品を使用して、開示されるシステム用のパワースプリッター結合器を構築できることは、電気分野の当業者によって理解される。実施形態では、パワースプリッター結合器回路の部品を、約５０Ωの信号インピーダンスを与えるように特定し得る。
【００８７】
特定の実施形態について図示・説明したが、当業者であれば、同じ目的を達成するように意図された広範囲の代替およびまたは均等な実施形態または実施を用いて、その範囲を逸脱することなく、図示・説明した実施形態を置換でき得ることを理解するであろう。当業者であれば、実施形態は非常に広範囲の方法で実施され得ることを容易に理解するであろう。本願は、本明細書で検討した実施形態に対するいかなる適応や変形もカバーするように意図される。したがって、実施形態は、請求項およびその均等物によってのみ制限されることは明らかである。
【図１】
2019528851.tif 000003
【図２】
2019528851.tif 000004
【図３】
2019528851.tif 000005
【図４】
2019528851.tif 000006
【図５】
2019528851.tif 000007
【図６】
2019528851.tif 000008
【図７】
2019528851.tif 000009
【図８】
2019528851.tif 000010
【図９】
2019528851.tif 000011
【図１０】
2019528851.tif 000012
【図１１】
2019528851.tif 000013
【図１２】
2019528851.tif 000014
【図１３】
2019528851.tif 000015
【図１４】
2019528851.tif 000016
【図１５】
2019528851.tif 000017
【図１６】
2019528851.tif 000018
【図１７】
2019528851.tif 000019
【図１８】
2019528851.tif 000020
【図１９】
2019528851.tif 000021
【図２０】
2019528851.tif 000022
【図２１】
2019528851.tif 000023
【図２２】
2019528851.tif 000024
【図２３】
2019528851.tif 000025
【図２４】
2019528851.tif 000026
【図２５】
2019528851.tif 000027
【図２６】
2019528851.tif 000028
【図２７】
2019528851.tif 000029
【図２８】
2019528851.tif 000030
【図２９】
2019528851.tif 000031
【図３０】
2019528851.tif 000032
【図３１】
2019528851.tif 000033
【国際調査報告】
2019528851.tif 000034
2019528851.tif 000035
2019528851.tif 000036
2019528851.tif 000037